(57)【要約】【課題】引戸本体が全開位置に達した際において、この引戸本体の引き残しをゼロ又は略ゼロとすることができるようになる引戸装置及び改修用引戸装置の取付方法を提供すること。【解決手段】壁３に形成された開口部である出入口２からこの壁３の厚さ方向にずれた位置に配置されていてこの出入口２を開閉するための上吊り式引戸である引戸本体１と、壁３との間には、引戸本体１が全開位置に達した際、引戸本体１の壁３と対向する内面部１Ｂにおける閉じ側の端縁部に設けられた手掛け部である窪み部５１を収納可能かつこの窪み部５１を操作可能とする空間部３５が形成されるようにし、全開位置に達した引戸本体１の閉じ側の先端１Ｃの開閉移動方向の位置が、出入口２における引戸本体１の開き側の先端である側枠部材７の突出部７Ａの先端の前記開閉移動方向の位置と同じ又はこれよりも開き側の位置となるようにした。【選択図】図３
2008190290.tif 000002
【特許請求の範囲】
【請求項１】
壁に形成された開口部からこの壁の厚さ方向にずれた位置に配置され、前記開口部を開閉するための引戸本体と、この引戸本体の開閉移動を案内するためのガイド部材と、を含んで構成され、前記引戸本体の前記壁と対向する面における閉じ側の端縁部には、手を掛けるための手掛け部が設けられている引戸装置において、
前記引戸本体と前記壁との間には、全開位置に達した前記引戸本体の前記手掛け部を収納可能かつこの手掛け部を操作可能とする空間部が形成され、全開位置に達した前記引戸本体の閉じ側の先端の開閉移動方向の位置は、前記開口部における前記引戸本体の開き側の先端の前記開閉移動方向の位置と同じ又はこれよりも開き側の位置となっていることを特徴とする引戸装置。
【請求項２】
請求項１に記載の引戸装置において、前記開口部における前記引戸本体の開き側の端部には、前記引戸本体と前記壁との間に生じる隙間を塞ぐための第１塞ぎ部材が配置され、前記開口部における前記引戸本体の閉じ側の端部にも、前記隙間を塞ぐための第２塞ぎ部材が配置されていることを特徴とする引戸装置。
【請求項３】
請求項２に記載の引戸装置において、前記第１塞ぎ部材は、前記隙間に挿入配置され、この配置位置は、前記開口部における前記引戸本体の開き側の端部からこの引戸本体の開き移動方向へ離間した位置となっており、前記空間部は、前記引戸本体と前記壁と前記第１塞ぎ部材の前記開口部側の面とで囲まれた空間となっていることを特徴とする引戸装置。
【請求項４】
請求項１〜３のいずれかに記載の引戸装置において、前記手掛け部は、前記引戸本体の前記壁と対向する面における閉じ側の前記端縁部に形成された窪み部であることを特徴とする引戸装置。
【請求項５】
請求項１〜４のいずれかに記載の引戸装置において、前記開口部における前記引戸本体の開き側の端部の前記引戸本体側の角部には切欠部が形成されていることを特徴とする引戸装置。
【請求項６】
請求項１〜５のいずれかに記載の引戸装置において、前記ガイド部材は、前記引戸本体よりも上方に配置され、この引戸本体は、前記ガイド部材から吊り下げられている上吊り式引戸であることを特徴とする引戸装置。
【請求項７】
請求項１〜６のいずれかに記載の引戸装置において、全開位置に達した前記引戸本体を収納するための戸袋を備え、この戸袋は、前記壁と、前記引戸本体のこの壁と対向する面とは反対側の面と対向して配置された外面形成部材と、を含んで構成されていることを特徴とする引戸装置。
【請求項８】
請求項７に記載の引戸装置において、前記外面形成部材の前記引戸本体の開閉移動方向の幅寸法は、前記壁の前記開閉移動方向の幅寸法と同じ又は略同じとなっていることを特徴とする引戸装置。
【請求項９】
請求項１〜８のいずれかに記載の引戸装置において、前記開口部は前記引戸本体が配置される前から存在しており、この引戸本体が配置される前の前記開口部は、開き戸装置の開き戸により開閉されるものとなっていたことを特徴とする引戸装置。
【請求項１０】
壁に形成された開口部を開閉していた開閉装置の扉体を外す第１工程と、
前記開口部から前記壁の厚さ方向にずれた位置に、この開口部を開閉するための引戸本体と、この引戸本体の開閉移動を案内するためのガイド部材と、を含んで構成され、前記引戸本体の前記壁と対向する面における閉じ側の端縁部には、手を掛けるための手掛け部が設けられている改修用引戸装置を取り付ける第２工程と、
を含んでいる改修用引戸装置の取付方法において、
前記第２工程では、前記引戸本体と前記壁との間に、全開位置に達した前記引戸本体の前記手掛け部を収納可能かつこの手掛け部を操作可能とする空間部を形成する作業が行われ、全開位置に達した前記引戸本体の閉じ側の先端の開閉移動方向の位置が、前記開口部における前記引戸本体の開き側の先端の前記開閉移動方向の位置と同じ又はこれよりも開き側の位置となっていることを特徴とする改修用引戸装置の取付方法。
【請求項１１】
請求項１０に記載の改修用引戸装置の取付方法において、前記開口部を開閉していた前記開閉装置の前記扉体は、開き戸装置の開き戸であることを特徴とする改修用引戸装置の取付方法。
【発明の詳細な説明】
【技術分野】
【０００１】
本発明は、壁に形成された開口部を開閉するための引戸装置及び改修用引戸装置の取付方法に係り、例えば、壁に形成された開口部を開閉するための引戸装置や、壁に形成された開口部を開閉していた開き戸装置を取り外した後に、この開口部を開閉するための改修用引戸装置を取り付ける際などに利用できるものである。
【背景技術】
【０００２】
下記の特許文献１には、壁に形成された開口部からこの壁の厚さ方向にずれた位置に配置され、前記開口部を開閉するための引戸本体と、この引戸本体の開閉移動を案内するためのガイド部材と、を含んで構成される引戸装置が示されている。この引戸装置は、ガイド部材が引戸本体よりも上方に配置され、この引戸本体がガイド部材から吊り下げられている上吊り式の引戸装置となっている。また、この引戸本体の表裏両面における閉じ側の端縁部には、手を掛けるための手掛け部が設けられている。なお、壁に形成された前記開口部は、引戸装置が取り付けられる前は、開き戸装置の開き戸によって開閉されていたものである。
【０００３】
図１５には、壁９０１に形成され、周縁部に枠組み体９０６が配置されている開口部９０２を開閉するための開き戸装置９０３の水平断面図が示されている。この開き戸装置９０３は、回動中心部材であるヒンジ９０５を中心に開き戸本体９０４が回動することにより、開口部９０２が開閉されるものである。
【０００４】
図１６には、図１５の開き戸装置９０３を取り外し、開口部９０２に配置された枠組み体９０６は残した後に取り付けられた引戸装置９１０の縦断面図が示されている。下記の特許文献１に示されている引戸装置と略同様の構造を有しているこの引戸装置９１０は、開口部９０２から壁９０１の厚さ方向にずれた位置に配置され、この開口部９０２を開閉するための引戸本体９１１と、壁９０１にビス等の結合具で固定され、この引戸本体９１１の開閉移動を案内するためのガイド部材であるガイドレール９１７と、を含んで構成されるものである。また、この引戸装置９１０は、ガイドレール９１７が引戸本体９１１よりも上方に配置され、この引戸本体９１１がガイドレール９１７から吊り下げられている上吊り式の引戸装置となっている。なお、ガイドレール９１７は点検カバー９１６の内部に収納されている。
【０００５】
図１７には、引戸本体９１１が全閉位置に達した状態の引戸装置９１０の水平断面図が示されており、図１８には、図１７に示す引戸本体９１１を矢印Ａ方向に開き移動させ、この引戸本体９１１が全開位置に達した状態の引戸装置９１０の水平断面図が示されている。図１７及び図１８に示されているように、引戸本体９１１の表裏両面９１２，９１３における閉じ側の端縁部９１２Ａ，９１３Ａには、手を掛けるためのパイプ状部材で形成された手掛け部９１４，９１５が設けられており、これらの手掛け部９１４，９１５に手を掛けて引戸本体９１１を開閉移動方向に操作することにより、この引戸本体９１１が開閉移動するようになっている。
【特許文献１】特開２００２−１４７１２１号公報
【発明の開示】
【発明が解決しようとする課題】
【０００６】
しかし、図１８に示されているように、この引戸装置９１０では、引戸本体９１１の壁９０１と対向する面９１３における閉じ側の端縁部９１３Ａに設けられている手掛け部９１５が、引戸本体９１１の厚さ方向外側に突出しているため、引戸本体９１１が全開位置に達した際には、引戸本体９１１の引き残しＬ１が生じてしまうことになる。したがって、開口部９０２の引戸本体の開閉動方向の幅寸法Ｌから前記引き残しＬ１を差し引いた長さＬ２よりも大きな幅寸法を有する物等は、この開口部９０２を通過することができない。
【０００７】
このため、引戸本体９１１が全開位置に達した際において、この引戸本体９１１の引き残しＬ１をゼロ又は略ゼロとするための工夫が求められている。言い換えると、開口部９０２の有効開口幅をより大きくするための工夫が求められている。
【０００８】
高齢化社会の到来により、採算性が低いホテル等を老人保健施設にリニューアルする場合や、事務所をリニューアルする場合において、出入口を開閉していた開き戸をユニバーサルデザインに対応した操作性の良い引戸に改修する際には、この引戸の引き残しをゼロ又は略ゼロとしたいという要望が特に多くなっている。
【０００９】
本発明の目的は、引戸本体が全開位置に達した際において、この引戸本体の引き残しをゼロ又は略ゼロとすることができるようになる引戸装置及び改修用引戸装置の取付方法を提供するところにある。
【課題を解決するための手段】
【００１０】
本発明に係る引戸装置は、壁に形成された開口部からこの壁の厚さ方向にずれた位置に配置され、前記開口部を開閉するための引戸本体と、この引戸本体の開閉移動を案内するためのガイド部材と、を含んで構成され、前記引戸本体の前記壁と対向する面における閉じ側の端縁部には、手を掛けるための手掛け部が設けられている引戸装置において、前記引戸本体と前記壁との間には、全開位置に達した前記引戸本体の前記手掛け部を収納可能かつこの手掛け部を操作可能とする空間部が形成され、全開位置に達した前記引戸本体の閉じ側の先端の開閉移動方向の位置は、前記開口部における前記引戸本体の開き側の先端の前記開閉移動方向の位置と同じ又はこれよりも開き側の位置となっていることを特徴とするものである。
【００１１】
本発明では、引戸本体の壁と対向する面における閉じ側の端縁部には、手を掛けるための手掛け部が設けられており、引戸本体と壁との間には、全開位置に達したこの引戸本体の前記手掛け部を収納可能かつ操作可能とする空間部が形成され、全開位置に達した前記引戸本体の閉じ側の先端の開閉移動方向の位置は、前記開口部における前記引戸本体の開き側の先端の前記開閉移動方向の位置と同じ又はこれよりも開き側の位置となっている。
【００１２】
すなわち、本発明では、引戸本体が全開位置に達したとき、この引戸本体の前記手掛け部は引戸本体と壁との間に形成された前記空間部に収納され、この空間部に収納された前記手掛け部は操作可能となっている。そして、全開位置に達した引戸本体の閉じ側の先端の開閉移動方向の位置は、前記開口部における前記引戸本体の開き側の先端の前記開閉移動方向の位置と同じ又はこれよりも開き側の位置となっている。
【００１３】
このため、本発明によると、引戸本体が全開位置に達した際において、この引戸本体の引き残しをゼロ又は略ゼロとすることができるようになる。すなわち、本発明によると、引戸本体が全開位置に達した際において、従来と比較して、より大きな面積を有する開口部を確保することができるようになる。
【００１４】
また、本発明によると、引戸本体が全開位置に達した際において、引戸本体と壁との間に形成された前記空間部に手を挿入することで引戸本体の手掛け部を操作することができ、これにより、引戸本体の両面のうちの壁と対向する面側からこの引戸本体を閉じ移動させることができる。
【００１５】
また、本発明では、引戸本体は開口部から壁の厚さ方向にずれた位置に配置されているため、引戸本体と壁との間には隙間が生じる。このため、この隙間を塞ぐために、前記開口部における前記引戸本体の開き側の端部には、前記引戸本体と前記壁との間に生じる隙間を塞ぐための第１塞ぎ部材が配置され、前記開口部における前記引戸本体の閉じ側の端部にも、前記隙間を塞ぐための第２塞ぎ部材が配置されることが好ましい。これによると、引戸本体が全閉位置に達した際におけるこの引戸本体と壁との密閉性を高めることができる。
【００１６】
ここで、第１塞ぎ部材の配置位置は任意であり、その一例として、この第１塞ぎ部材は、前記隙間に挿入配置され、この配置位置は、前記開口部における前記引戸本体の開き側の端部からこの引戸本体の開き移動方向へ離間した位置となっているものを挙げることができる。この例では、全開位置に達した前記引戸本体の前記手掛け部を収納可能かつこの手掛け部を操作可能とする前記空間部は、前記引戸本体と前記壁と前記第１塞ぎ部材の前記開口部側の面とで囲まれた空間となる。第１塞ぎ部材の配置位置の他の一例として、この第１塞ぎ部材は、前記隙間に挿入配置されず、前記開口部における前記引戸本体の開き側の端部近傍に配置されるものを挙げることができる。この例では、第１塞ぎ部材における引戸本体の前記手掛け部と対応する高さ位置に、全開位置に達した前記引戸本体の前記手掛け部を収納可能かつこの手掛け部を操作可能とする空間部（例えば、引戸本体の開き移動方向へ窪んだ窪み部）が形成されることが必要となる。
【００１７】
また、第２塞ぎ部材の配置位置も任意であり、引戸本体と壁との間に生じる前記隙間が塞がれる位置であればよい。
【００１８】
なお、第１塞ぎ部材及び第２塞ぎ部材の形状、構造等は任意であり、引戸本体と壁との間に生じる前記隙間を塞ぐことが可能な形状、構造等を有するものであればよい。例えば、壁の厚さ方向への成分を有する方向に延びる延出部を有する枠部材でもよく、前記隙間に挿入可能な厚さ寸法を有する角柱状部材等でもよい。
【００１９】
本発明において、引戸本体の前記壁と対向する面における閉じ側の端縁部に設けられている前記手掛け部の形状、構造等は任意であり、例えば、引戸本体の前記壁と対向する面における閉じ側の前記端縁部に形成された窪み部でもよく、引戸本体の前記壁と対向する面における閉じ側の前記端縁部に、前記壁に向かって突出して設けられた把持部等でもよい。前者の場合によると、全開位置に達した前記引戸本体の前記手掛け部を収納可能かつこの手掛け部を操作可能とする前記空間部の前記壁の厚さ方向の寸法を、後者の場合と比較してより小さくすることができる。
【００２０】
本発明において、前記開口部における前記引戸本体の開き側の端部の前記引戸本体側の角部には切欠部が形成されていてもよい。
【００２１】
これによると、引戸本体が全開位置に達した際において、前記空間部に収納された前記引戸本体の前記手掛け部に手を掛けることがより容易となる。
【００２２】
本発明は、任意な引戸装置に適用することができ、例えば、ガイド部材が、引戸本体よりも上方に配置され、この引戸本体が、前記ガイド部材から吊り下げられている上吊り式引戸である上吊り式引戸装置でもよく、引戸本体が、この引戸本体に上下に配置されたガイド部材により案内されて開閉移動する一般的な引戸装置等でもよい。
【００２３】
本発明に係る引戸装置は、全開位置に達した前記引戸本体を収納するための戸袋を備えているものでもよく、備えていないものでもよい。
【００２４】
前者の場合において、戸袋の形状、構造等は任意であり、一例として、前記壁と、前記引戸本体のこの壁と対向する面とは反対側の面と対向して配置された外面形成部材と、を含んで構成されているものを挙げることができる。これによると、全開位置に達した引戸本体は、壁と外面形成部材との間に形成される空間に収納されることになる。
【００２５】
なお、後者の場合（戸袋を備えていないものである場合）において、引戸装置は、この引戸装置の外枠組みを形成する枠部材のうち、引戸本体が全閉位置に達して開口部を閉じたときにこの引戸本体の先端が当接する戸先側の竪枠部材や、この戸先側の竪枠部材とは引戸本体の移動方向反対側（開き側）に配置されるべき戸尻側の竪枠部材等を備えるものでもよく、備えていないものでもよい。
【００２６】
本発明において、前述したように、引戸装置が、全開位置に達した前記引戸本体を収納するための戸袋を備え、この戸袋は、前記壁と、前記引戸本体のこの壁と対向する面とは反対側の面と対向して配置された外面形成部材と、を含んで構成されているものである場合には、前記外面形成部材の前記引戸本体の開閉移動方向の幅寸法は、前記壁の前記開閉移動方向の幅寸法と同じ又は略同じとなっていてもよい。
【００２７】
これによると、戸袋を構成する外面形成部材のうち、全開位置に達して戸袋に収納されている引戸本体の戸尻側の先端よりも開き側の外面形成部材を壁として兼用することができるので、外面形成部材と同じ側に配置する壁材を別途用意する必要がなくなる。
【００２８】
例えば、壁に複数の開口部が形成されており、それぞれの開口部に本発明に係る引戸装置を配置する場合には、外面形成部材の引戸本体の開閉移動方向の幅寸法を、互いに隣接する開口部間の距離（開口部における引戸本体の開き側の先端から、引戸本体の開き移動方向に隣接する開口部における引戸本体の閉じ側の先端までの距離）と同じ又は略同じ長さとすればよい。また、壁のコーナー部付近に形成された開口部に本発明に係る引戸装置を配置する場合には、外面形成部材の引戸本体の開閉移動方向の幅寸法を、開口部における引戸本体の開き側の先端から、外面形成部材と対向する壁が交差する壁の表面までの距離と同じ又は略同じ長さとすればよい。
【００２９】
以上の本発明において、「壁に形成された開口部」とは、引戸本体が配置される前から存在し、この引戸本体が配置される前は、開閉装置の扉体（例えば、開き戸装置の開き戸や、折れ戸装置の折れ戸、一般的な引戸装置（引戸本体が、この引戸本体の上下に配置されたガイド部材により案内されて開閉移動するもの）の引戸等）で開閉されるものとなっていた開口部や、引戸本体を配置するために新たに壁に形成された開口部、引戸本体が配置される前から存在していたが、前記開閉装置は設置されずに常時開口状態となっていた開口部等をいう。
【００３０】
以上説明した本発明において、引戸本体の個数は、１個でもよく、複数個でもよい。引戸本体の個数が複数個である場合には、これらの引戸本体は、片引き式のものでもよく、引分け式のもの（例えば、左右１組の引戸本体により開口部が開閉されるものや、左右２組の第１及び第２引戸本体により開口部が開閉されるもの等）でもよい。
【００３１】
また、以上説明した本発明において、引戸本体の開閉移動方向は、直線方向でもよく、曲線方向でもよく、これらを複合した方向でもよい。
【００３２】
本発明に係る改修用引戸装置の取付方法は、壁に形成された開口部を開閉していた開閉装置の扉体を外す第１工程と、前記開口部から前記壁の厚さ方向にずれた位置に、この開口部を開閉するための引戸本体と、この引戸本体の開閉移動を案内するためのガイド部材と、を含んで構成され、前記引戸本体の前記壁と対向する面における閉じ側の端縁部には、手を掛けるための手掛け部が設けられている改修用引戸装置を取り付ける第２工程と、を含んでいる改修用引戸装置の取付方法において、前記第２工程では、前記引戸本体と前記壁との間に、全開位置に達した前記引戸本体の前記手掛け部を収納可能かつこの手掛け部を操作可能とする空間部を形成する作業が行われ、全開位置に達した前記引戸本体の閉じ側の先端の開閉移動方向の位置が、前記開口部における前記引戸本体の開き側の先端の前記開閉移動方向の位置と同じ又はこれよりも開き側の位置となっていることを特徴とするものである。
【００３３】
前述したように、採算性が低いホテル等を老人保健施設にリニューアルする場合や、事務所をリニューアルする場合があるが、このリニューアルするための作業として、壁に形成された開口部を開閉する開閉装置の扉体を外す第１工程と、前記開口部から前記壁の厚さ方向にずれた位置に、この開口部を開閉するための引戸本体と、この引戸本体の開閉移動を案内するためのガイド部材とを、含んで構成され、前記引戸本体の前記壁と対向する面における閉じ側の端縁部には、手を掛けるための手掛け部が設けられている改修用引戸装置を取り付ける第２工程と含んでいる改修用引戸装置の取付作業が行われる場合があるが、本発明に係る改修用引戸装置の取付方法では、前記第２工程では、前記引戸本体と前記壁との間に、全開位置に達した前記引戸本体の前記手掛け部を収納可能かつこの手掛け部を操作可能とする空間部を形成する作業が行われ、全開位置に達した前記引戸本体の閉じ側の先端の開閉移動方向の位置が、前記開口部における前記引戸本体の開き側の先端の前記開閉移動方向の位置と同じ又はこれよりも開き側の位置となっている。
【００３４】
すなわち、本発明に係る改修用引戸装置の取付方法では、引戸本体が全開位置に達したとき、この引戸本体の前記手掛け部は引戸本体と壁との間に形成された前記空間部に収納され、この空間部に収納された前記手掛け部は操作可能となっている。そして、全開位置に達した引戸本体の閉じ側の先端の開閉移動方向の位置は、前記開口部における前記引戸本体の開き側の先端の前記開閉移動方向の位置と同じ又はこれよりも開き側の位置となっている。
【００３５】
このため、本発明に係る改修用引戸装置の取付方法によると、引戸本体が全開位置に達した際において、この引戸本体の引き残しをゼロ又は略ゼロとすることができるようになる。すなわち、本発明によると、引戸本体が全開位置に達した際において、従来と比較して、より大きな面積を有する開口部を確保することができるようになる。
【００３６】
本発明に係る改修用引戸装置の取付方法において、前記開口部を開閉していた前記開閉装置の前記扉体は任意であり、例えば、開き戸装置の開き戸や、折れ戸装置の折れ戸、一般的な引戸装置（引戸本体が、この引戸本体の上下に配置されたガイド部材により案内されて開閉移動するもの）の引戸等でもよい。
【発明の効果】
【００３７】
本発明によると、引戸本体が全開位置に達した際において、この引戸本体の引き残しをゼロ又は略ゼロとすることができるようになるという効果を得られる。
【発明を実施するための最良の形態】
【００３８】
以下に本発明を実施するための形態を図面に基づいて説明する。本実施形態に係る引戸装置は、開閉移動する扉体である引戸本体が１個となっている引戸装置であって、この引戸本体が、この引戸本体よりも上方に配置されたガイド部材であるガイドレールから吊り下げられ、このガイドレールに案内されて開閉移動を行う上吊り式の引戸装置である。
【００３９】
図１は、例えば、ホテルや、病院、特別養護老人施設等の建物内における廊下と部屋との間に設置され、引戸本体１で開閉される開口部が出入口２となっているこの上吊り式の引戸装置の全体を示す正面図である。引戸本体１は、壁３に形成された出入口２からこの壁３の厚さ方向にずれた位置に配置されているものである。この引戸装置の外枠組みを形成する枠部材は、板材の折り曲げ品又は押出成形品となっている上枠部材１０のみとなっており、引戸本体１が全閉位置に達して出入口２を閉じたときにこの引戸本体１の先端が当接する戸先側の竪枠部材や、この戸先側の竪枠部材とは引戸本体１の移動方向反対側（開き側）に配置されるべき戸尻側の竪枠部材は配置されていない。また、この引戸装置では、出入口２を開けたときに引戸本体１を収納するための戸袋も配置されていない。
【００４０】
図２は、図１のＳ２−Ｓ２線断面図であり、引戸本体１が全閉位置に達したときの状態を示す図であり、図３は、図２において、引戸本体１が全開位置に達したときの状態を示す図である。また、図４は、図１のＳ４−Ｓ４線断面図である。
【００４１】
図２に示すように、出入口２は、本実施形態に係る引戸装置の引戸本体１が設置される前から存在しており、この引戸本体１が配置される前のこの出入口２は、２点鎖線で示されている開き戸装置９０の開き戸本体９１により開閉されていたものである。この開き戸本体９１は、回動中心部材であるヒンジ９２で出入口２に対して開閉自在に枠組み体５に取り付けられていた。出入口２の外周を形成するこの枠組み体５は、図２に示す引戸本体１の閉じ側の側枠部材６及び開き側の側枠部材７と、図４に示す上部の上枠部材８とで構成される三方枠となっており、本実施形態に係る引戸装置が設置された後も残されているものである。このため、本実施形態に係る引戸装置は改修用引戸装置となっている。
【００４２】
本実施形態に係る引戸装置の外枠組みを構成する上枠部材１０は、この上枠部材１０が２点鎖線で示されている図２及び図３からわかるように、全閉位置に達した引戸本体１の閉じ側（言い換えると、戸先側）の先端１Ｃの位置よりも少し戸先側の位置から、全開位置に達した引戸本体１の戸尻側の先端部１Ｄの位置よりも少し戸尻側の位置まで延びる長さを有している（図１も参照）。
【００４３】
また、図２に示されているように、壁３と、引戸本体１の室内側の面である内面部１Ｂ（図１では紙面裏側の面部、室外側の面である外面部１Ａは図１の紙面表側の面部）との間には、３個の枠部材２０，２３，２６が、引戸本体１の開閉移動方向に離間して立設されている。引戸本体１の高さ方向である上下方向に延びるこれらの枠部材２０，２３，２６のうち、出入口２における引戸本体１の開き側の端部である側枠部材７と壁３に取り付けられている枠部材２３の上下寸法である高さ寸法は、図４に示すように、床４から、枠組み体５の上枠部材８の平坦部８Ｂの下面までの長さとなっている。図示されていないが、他の枠部材２０，２６の高さ寸法も、枠部材２３の高さ寸法と同じ又は略同じとなっている。
【００４４】
図２に示されているように、３個の枠部材２０，２３，２６のうち、出入口２における引戸本体１の閉じ側の端部である側枠部材６に取り付けられている枠部材２０は、板材の折り曲げ品又は押出成形品となっている内部材２１と外部材２２の組合せ品となっている。内部材２１は、底部２１Ａと、この底部２１Ａの両端部から壁３の厚さ方向へ延びる２個の延出部２１Ｂ，２１Ｃとからなっており、底部２１Ａが、側枠部材６にビス等の結合具２９で結合されている。一方、外部材２２は、壁３の厚さ方向へ延びる延出部２２Ａと、引戸本体１の閉じ移動方向に延びる前方延出部２２Ｂとからなっており、延出部２２Ａは、内部材２１の延出部２１Ｂにビス等の結合具３０で結合されている。
【００４５】
また、側枠部材７及び壁３に取り付けられている枠部材２３も、板材の折り曲げ品又は押出成形品となっている内部材２４と外部材２５の組合せ品となっている。内部材２４は、壁３の厚さ方向に延びる延出部２４Ａと、この延出部２４Ａの一方の端部から引戸本体１の閉じ移動方向に延びる延出部２４Ｂと、延出部２４Ａの他方の端部から引戸本体１の開き移動方向に延びる後方延出部２４Ｃとからなっており、延出部２４Ｂは壁３にビス等の結合具２９で結合されている。一方、外部材２５は、底部２５Ａと、この底部２５Ａの両端部から壁３の厚さ方向へ延びる２個の延出部２５Ｂ，２５Ｃと、この延出部２５Ｃの先端部から引戸本体１の閉じ移動方向に延びる前方延出部２５Ｄとからなっており、この前方延出部２５Ｄが側枠部材７にビス等の結合具２９で結合されている。また、延出部２５Ｂは、内部材２４の延出部２４Ａにビス等の結合具３０で結合されている。
【００４６】
さらに、上枠部材１０の引戸本体１の戸尻側の端部と対応する位置に配置され、壁３に取り付けられている枠部材２６も、板材の折り曲げ品又は押出成形品となっている内部材２７と外部材２８の組合せ品となっている。内部材２７は、壁３の厚さ方向に延びる延出部２７Ａと、この延出部２７Ａの一方の端部から引戸本体１の閉じ移動方向に延びる前方延出部２７Ｂと、前記延出部２７Ａの他方の端部から引戸本体１の開き移動方向に延びる後方延出部２７Ｃとからなっており、この後方延出部２７Ｃは壁３にビス等の結合具２９で結合されている。一方、外部材２８は、底部２８Ａと、この底部２８Ａの両端部から壁３の厚さ方向内側へ延びる延出部２８Ｂ，２８Ｃとからなっており、この延出部２８Ｃが内部材２７の延出部２７Ａにビス等の結合具３０で結合されている。
【００４７】
図２に示されているように、引戸本体１は、出入口２から壁３の厚さ方向にずれた位置に配置されているため、引戸本体１と壁３との間には隙間１９が生じているが、本実施形態では、この隙間１９を塞ぐための第１及び第２塞ぎ部材が配置されている。
【００４８】
すなわち、出入口２における引戸本体１の開き側の端部に配置されている枠部材２３が、引戸本体１と壁３との間に生じる隙間１９を塞ぐための第１塞ぎ部材となっており、この枠部材２３は、隙間１９に挿入配置され、この配置位置は、出入口２における引戸本体１の開き側の端部からこの引戸本体１の開き移動方向へ離間した位置となっている。そして、本実施形態では、図３に示されているように、引戸本体１と、壁３と、枠部材２３の出入口２側の面となっている外部材２５の延出部２５Ｃとで囲まれた空間である空間部３５が、具体的な構造を後述する引戸本体１の内面部１Ｂにおける閉じ側の端縁部に設けられている手掛け部である窪み部５１を収納可能かつこの窪み部５１を操作可能とする空間部となっている。
【００４９】
また、本実施形態では、出入口２における引戸本体１の閉じ側の端部に配置されている枠部材２０が、引戸本体１と壁３との間に生じる隙間１９を塞ぐための第２塞ぎ部材となっている。
【００５０】
また、図２に示されているように、枠部材２３と枠部材２６との間には、引戸本体１が全閉位置に達した際、枠部材２３，２６間に露出する壁３を隠すための目隠し部材３１が配置されており、この目隠し部材３１は、床４から、上枠部材１０を壁３に取り付けるための取付部材４０（具体的な構造は後述する）を構成する枠部材４２の下面部４２Ｃ（図４参照）までの上下寸法である高さ寸法を有している。言い換えると、目隠し部材３１の高さ寸法は、３個の枠部材２０，２３，２６の高さ寸法と同じ又は略同じとなっている。
【００５１】
図２に示すように、目隠し部材３１の引戸本体１の閉じ移動方向の端部３１Ａは、枠部材２３の内部材２４の後方延出部２４Ｃ、及び枠部材２３の外部材２５の延出部２５Ｂに接着剤や接着テープ等の結合具で結合されている。これと同様に、目隠し部材３１の引戸本体１の開き移動方向の端部３１Ｂは、枠部材２６の内部材２７の前方延出部２７Ｂ、及び枠部材２６の外部材２８の延出部２８Ｃに接着剤や接着テープ等の結合具で結合されている。また、目隠し部材３１における引戸本体１と対向する面は、枠部材２３の外枠材２５の底部２５Ａ、及び枠部材２６の外部材２８の底部２８Ａと面一又は略面一となっている。
【００５２】
なお、図２に示すように、枠部材２０の外部材２２の延出部２２Ａと前方延出部２２Ｂとの角部２２Ｃには、開閉移動中の引戸本体１が外部材２２と衝突した場合に、引戸本体１及び／又は外部材２２の損傷を防止するためのカバー部材３２が取り付けられている。これと同様の理由から、枠部材２３の外部材２５の底部２５Ａと延出部２５Ｃの角部２５Ｅにも、カバー部材３３が取り付けられている。ゴムや軟質合成樹脂等の弾性材料又は軟質材料で形成されているこのカバー部材３３は、図４に示されているように、枠部材２３の外部材２５の上下方向全長又は略全長にわたって設けられている。また、図示されていないが、ゴムや軟質合成樹脂等の弾性材料又は軟質材料で形成されているカバー部材３２も、枠部材２０の外部材２２の上下方向全長又は略全長にわたって設けられている。なお、これらのカバー部材３２，３３は、全閉位置に達した引戸本体１と壁３との密閉性を高めるためのものでもある。
【００５３】
図４に示されているように、上枠部材１０は、上面部１０Ａと、この上面部１０Ａにおける上枠部材１０の幅方向（図４では左右方向）の一方の端部から垂下した垂下部１０Ｂとを有しており、これら上面部１０Ａと垂下部１０Ｂは、上枠部材１０の全長にわたって連続して設けられている。また、垂下部１０Ｂの壁３とは反対側の面の下部には、引戸本体１の開閉移動を案内するためのガイド部材であるガイドレール１３が押出成形あるいは引抜成形等により形成されている。
【００５４】
また、図４で示されているように、上枠部材１０の上面部１０Ａの下側は、上枠部材１０の開口部１０Ｃとなっており、垂下部１０Ｂの壁３とは反対側に形成されているこの開口部１０Ｃから、上枠部材１０の内部空間に収納配置されている扉体移動機構（具体的な構造は後述する）についての点検及び整備を含む各種の作業を行えるようになっている。
【００５５】
通常時の開口部１０Ｃは点検カバー１１で塞がれており、上枠部材１０の長手方向（左右方向）の長さ寸法と同じ又は略同じ長さ寸法を有するこの点検カバー１１は、上枠部材１０の上面部１０Ａにねじ部材１２で止められる上面部１１Ａと、この上面部１１Ａから鉛直又は略鉛直下向きに延びていて、途中部が上枠部材１０の内側へ少し窪んだ正面部１１Ｂと、この正面部１１Ｂの下端から上枠部材１０の内側へ水平又は略水平に屈曲している下面部１１Ｃと、この下面部１１Ｃの先端から立ち上がった立上部１１Ｄとを有している。下面部１１Ｃと立上部１１Ｄとにより、板材の折り曲げ品又は押出成形品となっている点検カバー１１の下部の剛性が確保されている。
【００５６】
前述した扉体移動機構についての点検等の作業を行う場合には、ねじ部材１２を取り外し、点検カバー１１を取り外すことにより、上枠部材１０の内部空間に収納配置されている扉体移動機構を露出させる。
【００５７】
なお、点検カバー１１の正面部１１Ｂの裏面（正面部１１Ｂにおける上枠部材１０の内側の面）に、例えば、ハット形状の断面が点検カバー１１の長手方向に連続している補強部材１７を接着剤や接着テープ等の結合具で結合し、これにより、正面部１１Ｂの面強度を補強し、正面部１１Ｂの上下寸法や左右寸法が大きくても、正面部１１Ｂに撓み変形や開閉時の振動がより発生しないようにしてもよい。
【００５８】
なお、通常時の上枠部材１０及びこの上枠部材１０に取り付けられている点検カバー１１の長手方向（左右方向）の両端部は開口状態となる。このため、図２に示されているように、開口状態となっているこれらの両端部には、これらの両端部を覆うことができる面積を有する板状部材で形成されたカバー部材１８（２点鎖線で示されている部分、図４及び図６も参照）が取り付けられている。
【００５９】
また、図４に示すように、上枠部材１０と壁３との間には、上枠部材１０を壁３に取り付けるための取付部材４０が配置されており、この取付部材４０は、上枠部材１０の長手方向（左右方向）の長さ寸法と同じ又は略同じ長さ寸法を有する２個の枠部材４１，４２の組合せ品となっている。ガイドレール１３が形成されている上枠部材１０の垂下部１０Ｂは、ビス等の結合具１４で枠部材４１の垂下部４１Ｂに取り付けられている。また、枠部材４１の上面部４１Ａは、ビス等の結合具４４で枠部材４２の上面部４２Ａに結合されており、枠部材４１の垂下部４１Ｂの下部も、ビス等の結合具４４で枠部材４２の立上部４２Ｄに結合されている。一方、枠部材４２の垂下部４２Ｂは、スペーサ４３を介してビス等の結合具４５で壁３に結合されている。このように、上枠部材１０は、取付部材４０とスペーサ４３を介して壁３に取り付けられている。
【００６０】
図１で示されているように、床４の引戸本体１が開閉移動する移動経路における、全閉位置に達したこの引戸本体１の戸尻側の端部の位置と対応する位置には、ガイドローラ７５が配置されている。このガイドローラ７５は、図４で示されているとおり、下方に向かって開口している引戸本体１の下端部に挿入されている。このため、引戸本体１の前記ガイドレール１３で案内される開閉移動は、引戸本体１の下端部がガイドローラ７５で案内されながら行われる。
【００６１】
図１で示されているように、引戸本体１の壁３と対向する面とは反対側の面である外面部１Ａ（言い換えると、室外側の面（図１では手前側の面））の閉じ側の端縁部には、室外側から引戸本体１を開閉移動させるためにこの引戸本体１に手を掛けるための把持部５０が設けられており、この把持部５０の上方には、引戸本体１を全閉位置に施錠するための施錠装置５２が配置されている。
【００６２】
図５は、引戸本体１の内面部１Ｂ（言い換えると、室内側の面（図１では奥側の面））の戸先側の端部近傍の一部拡大図であり、この図５には、引戸本体１の外面部１Ａに配置されている前記把持部５０及び前記施錠装置５２の裏側の部分が示されている。施錠装置５２は、一方の側である室外側（表側）がシリンダー錠５３であり、他方の側である室内側（裏側）が、この図５に示されているように、サムターン錠５４となっており、室外側では、シリンダー錠５３の鍵穴に挿入されたキーの回転操作による施錠及び開錠が行われ、室内側では、サムターン錠５４の回転操作部材の回転操作による施錠及び開錠が行われる。
【００６３】
また、図５に示されているように、引戸本体１の室外側に配置されている前記把持部５０の裏側には、上下方向に長い長方形状の窪み部５１が形成されている。このため、この窪み部５１が、引戸本体１の壁３と対向する面である内側面１Ｂにおける閉じ側の端縁部に設けられ、室内側から引戸本体１を開閉移動させるためにこの引戸本体１に手を掛けるための手掛け部となっている。窪み部５１は、最深部となっている上下方向に長い長方形状の平坦部５１Ａと、四方の周縁部からこの平坦部５１Ａに向かって傾斜しながら窪んでいる傾斜部５１Ｂとからなっており、この窪み部５１の水平断面図が示されている図２からわかるように、窪み部５１は略船底形状を有している。
【００６４】
次に、上枠部材１０の内部空間に収納配置されている引戸本体１を開閉移動させるための扉体移動機構について説明する。図６は、点検カバー１１を取り外して示すこの扉体移動機構の正面図である。
【００６５】
前述したように、上枠部材１０の垂下部１０Ｂの壁３とは反対側の面の下部には、引戸本体１の直線の開閉移動を案内するガイド部材となっているガイドレール１３が形成されており、このガイドレール１３は、上枠部材１０の長手方向（左右方向）略全長にわたる長さを有している。また、このガイドレール１３は、図４に示されているように、上下に延びる基端部１３Ａを有する略Ｌ字形状であり、この基端部１３Ａが上枠部材１０の前記垂下部１０Ｂの下部を形成している。引戸本体１には、この引戸本体１の上方において、ガイドレール１３に転動自在に係合している係合部材であるローラ１６がブラケット１５を介して取り付けられ、このローラ１６は、図６で示されているとおり、上枠部材１０の長手方向である引戸本体１の開閉移動方向に２個設けられている。このため、本実施形態に係る引戸装置は、引戸本体１が２個のローラ１６によってガイドレール１３から吊り下げられた上吊り式の引戸装置になっている。
【００６６】
また、上枠部材１０の内部空間には、引戸本体１を自動的に閉じ移動させるための渦巻きばね式の閉鎖装置５５が配置され、この閉鎖装置５５は、上枠部材１０における戸先側の端部の近傍において、上枠部材１０の垂下部１０Ｂやガイドレール１３の基端部１３Ａにビス等の結合具で結合されている。閉鎖装置５５からは、この閉鎖装置５５の内部に設けられている渦巻きばね機構に一端が連結された合成樹脂製等の紐状部材５６が導出され、この紐状部材５６の他端は、上記２個のローラ１６のうち、戸先側のローラ１６を回転自在に保持しているブラケット１５に連結されている。引戸本体１が出入口２を全閉としているときに、図１に示す引戸本体１の外面部１Ａに設けられている把持部５０を握った手、又は引戸本体１の内面部１Ｂに形成された手掛け部である窪み部５１に掛けた手によって引戸本体１を開き移動させると、閉鎖装置５５から繰り出される紐状部材５６により、上記渦巻きばね機構の渦巻きばねにばね力が蓄圧され、把持部５０又は窪み部５１から手を離すと、この蓄圧されたばね力によって引戸本体１が自動的に全閉位置まで閉じ移動する。このため、本実施形態に係る引戸装置は、自動閉鎖式の引戸装置となっている。
【００６７】
また、上枠部材１０の内部空間には、図６で示すシリンダ式の制動装置６０が、ピストンロッド６２を引戸本体１の戸尻側に向けて配置され、この制動装置６０は、ガイドレール１３の基端部１３Ａにブラケット６１で取り付けられている。引戸本体１の上記２個のローラ１６のうち、戸尻側のローラ１６を回転自在に保持しているブラケット１５には、ピストンロッド６２の先端部と引戸本体１の開閉移動方向に対向する当接部材６４が取り付けられ、これらのピストンロッド６２の先端部と当接部材６４とのうち、一方には、他方と吸着力等で接離自在となったマグネット等による接離部材６３が設けられている。
【００６８】
全閉位置に達している引戸本体１を上述のように開き移動させたときには、先端部が当接部材６４に接離部材６３の吸着力で接続状態となっているピストンロッド６２は伸び作動し、ピストンロッド６２の伸び作動の限度を越えて引戸本体１が開き移動すると、接離部材６３において当接部材６４はピストンロッド６２から分離する。また、引戸本体１が閉じ移動すると、その途中で当接部材６４は接離部材６３を介してピストンロッド６２の先端部に当接し、引戸本体１が閉じ移動を継続することにより、ピストンロッド６２は縮み作動を始め、制動装置６０には、このときにシリンダ式の制動装置６０の内部の空気を絞りながら排出するバルブが設けられているため、引戸本体１は、このバルブの絞り作用による制動力を受けながら、上記閉鎖装置５５により低速で全閉位置まで自動移動する。
【００６９】
なお、上記バルブは、ピストンロッド６２が伸び作動するときには、空気を絞らずにシリンダ式の制動装置６０の内部に流入させるタイプのものであるため、全閉位置からの引戸本体１の開き移動を、閉鎖装置５５の上記渦巻きばね機構の渦巻きばねにばね力を蓄圧させるだけの小さな力によって行える。
【００７０】
なお、以上のように、全閉位置へ向かって閉じ移動しているときの引戸本体１に制動力を作用させるための装置は、上記シリンダ式の制動装置６０に限定されず、例えば、引戸本体１と上枠部材１０とのうちの一方に取り付けられたラック部材と、他方に取り付けられ、このラック部材に噛合するピニオン部材を有するロータリー式のダンパー装置とを含んで構成され、引戸本体１の全閉位置へ向かう閉じ移動によってピニオン部材がラック部材で回転することにより、ロータリー式のダンパー装置の内部に充填されている粘状物質等によって制動力が生ずるものでもよい。
【００７１】
また、図６に示されているように、戸尻側のローラ１６を保持している前記ブラケット１５に取り付けられている当接部材６４には、ゴム等による緩衝部材７０が後ろ向き（言い換えると、開き移動方向）に取り付けられている。引戸本体１の開き移動により、緩衝部材７０が、ガイドレール１３の基端部１３Ａにブラケット７１で取り付けられているストップ部材７２に当接することにより引戸本体１は開き移動限位置である後退限位置に達する。すなわち、引戸本体１は全開位置に達する。このため、ストップ部材７２は、引戸本体１の開き移動限位置を規定する部材となっている。
【００７２】
なお、図３に示されているように、本実施形態では、引戸本体１が全開位置に達したとき、この引戸本体１の手掛け部となっている窪み部５１は引戸本体１と壁３との間に形成された前記空間部３５に収納され、この空間部３５に収納された窪み部５１は室内側から手掛け操作が可能となっている。そして、全開位置に達した引戸本体１の閉じ側の先端１Ｃの開閉移動方向の位置は、出入口２における引戸本体１の開き側の先端（側枠部材７の突出部７Ａの先端）の前記開閉移動方向の位置よりも開き側の位置となっている。
【００７３】
なお、本実施形態において、引戸本体１を開き移動限位置に停止させるための停止装置を配置してもよい。例えば、上枠部材１０の垂下部１０Ｂには、引戸本体１に取り付けた係止部材が係止される被係止部材を取り付け、引戸本体１が後退限位置に達したときに、この引戸本体１の前記係止部材が上枠部材１０の前記被係止部材に係止し、この係止状態が維持されるものを挙げることができる。この場合には、前記把持部５０を握った手、又は前記窪み部５１に掛けた手で引戸本体１に閉じ移動力を付与すると、前記係止部材が前記被係止部材に係止している状態が解除され、引戸本体１は、前述したように、閉鎖装置５５の渦巻きばね機構の渦巻きばねに蓄圧されたばね力等により、前述したように閉じ移動する。
【００７４】
次に、改修用引戸装置となっている本実施形態に係る引戸装置の取付方法について説明する。
【００７５】
まず、改修用引戸装置の取付方法の第１工程として、図２において２点鎖線で示されている開き戸装置９０に開き戸本体９１を回動中心部材であるヒンジ９２と共に取り外す作業を行う。なお、このとき、出入口２の外周を形成する枠組み体５は残す。
【００７６】
次に、第２工程として以下の作業を行う。
【００７７】
まず、第１塞ぎ部材である枠部材２３を枠組み体５の側枠部材７及び壁３に結合する作業、第２塞ぎ部材である枠部材２０を枠組み体５の側枠部材６に結合する作業、枠部材２６を壁３に結合する作業を行った後、前記目隠し部材３１を枠部材２３及び枠部材２６に取り付ける作業を行う。
【００７８】
次に、上枠部材１０を壁３に取り付けるための図４に示す取付部材４０及びスペーサ４３を壁３に取り付ける。なお、枠部材２０，２３，２６の取付作業は、取付部材４０及びスペーサ４３の取付作業の後でもよい。
【００７９】
この後、ガイドレール１３が形成された上枠部材１０を取付部材４０に取り付ける作業を行うと共に、床４にガイドローラ７５を取り付ける作業を行う。
【００８０】
次に、引戸本体１を吊り上げ、この引戸本体１に取り付けられた２個のローラ１６（図４及び図６参照）をガイドレール１３に係合させる作業を行う。
【００８１】
最後に、点検カバー１１を上枠部材１０に取り付ける作業や、開口状態となっている上枠部材１０や点検カバー１１の両端部を覆うためのカバー部材１８の取付作業を行う。
【００８２】
以上説明した第１の実施形態では、引戸本体１の壁３と対向する面における閉じ側の端縁部には、手を掛けるための手掛け部である窪み部５１が設けられており、図３に示すように、引戸本体１と壁３との間には、全開位置に達したこの引戸本体１の前記窪み部５１を収納可能かつ手掛け操作可能とする空間部３５が形成され、全開位置に達した前記引戸本体１の閉じ側の先端１Ｃの開閉移動方向の位置は、出入口２における引戸本体１の開き側の先端（側枠部材７の突出部７Ａの先端）の前記開閉移動方向の位置よりも開き側の位置となっている。
【００８３】
すなわち、本実施形態では、引戸本体１が全開位置に達したとき、この引戸本体１の窪み部５１は引戸本体１と壁３との間に形成された前記空間部３５に収納され、この空間部３５に収納された前記窪み部５１は手掛け操作が可能となっている。そして、全開位置に達した引戸本体１の閉じ側の先端１Ｃの開閉移動方向の位置は、前記出入口２における前記引戸本体１の開き側の先端（側枠部材７の突出部７Ａの先端）の前記開閉移動方向の位置と同じ又はこれよりも開き側の位置となっている。
【００８４】
このため、本実施形態によると、引戸本体１が全開位置に達した際において、この引戸本体１の引き残しはゼロとなる。すなわち、本実施形態によると、引戸本体１が全開位置に達した際において、従来と比較して、より大きな面積を有する出入口２を確保することができるようになる。
【００８５】
また、本発明によると、引戸本体１が全開位置に達した際において、引戸本体１と壁３との間に形成された前記空間部３５に手を挿入することで引戸本体１の窪み部５１を手掛け操作することができ、これにより、引戸本体１の両面１Ａ，１Ｂのうちの壁３と対向する面側（本実施形態では室内側である内面部１Ｂ側）からこの引戸本体１を閉じ移動させることができる。
【００８６】
また、本実施形態では、図２及び図３に示すように、引戸本体１は出入口２から壁３の厚さ方向にずれた位置に配置されているため、引戸本体１と壁３との間には隙間１９が生じる。このため、この隙間１９を塞ぐために、出入口２における引戸本体１の開き側の端部には、引戸本体１と壁３との間に生じる前記隙間１９を塞ぐための第１塞ぎ部材となっている枠部材２３が配置され、前記出入口２における前記引戸本体１の閉じ側の端部にも、前記隙間１９を塞ぐための第２塞ぎ部材となっている枠部材２０が配置されている。このため。本実施形態によると、引戸本体１が全閉位置に達した際におけるこの引戸本体１と壁３との密閉性は高いものとなる。
【００８７】
なお、本実施形態において、引戸本体１の壁３と対向する面である内面部１Ｂにおける閉じ側の端縁部に設けられる手掛け部は窪み部５１ではなく、引戸本体１の壁３と対向する面とは反対側の面である外面部１Ａにおける閉じ側の端縁部に設けられ、引戸本体１の厚さ方向外側に突出している把持部５０でもよい。すなわち、引戸本体１の壁３と対向する面である内面部１Ｂにおける閉じ側の端縁部に設けられる手掛け部は、引戸本体１と壁３との間に形成された前記空間部３５に収納可能かつこの空間部３５に手を挿入して手掛け操作可能なものであればよい。
【００８８】
図７〜図１０には、第２の実施形態に係る引戸装置が示されている。図７は、本実施形態に係る引戸装置の全体を示す正面図であり、図８は、図７のＳ８−Ｓ８線断面図であり、図９は、図７のＳ９−Ｓ９線断面図であり、図１０は、図７のＳ１０−Ｓ１０線断面図である。なお、図８は、図７に示されている全閉位置に達していた引戸本体が開き移動され、この引戸本体が全開位置に達した状態の断面図であり、図１に示されている全閉位置に達していた引戸本体の戸先側の先端部は、図８では２点鎖線で示されている。
【００８９】
本実施形態に係る引戸装置も、前述の第１の実施形態に係る引戸装置と同様に、開閉移動する引戸本体が１個となっている上吊り式の改修用引戸装置となっている。後述するように、本実施形態に係る引戸装置が、全閉位置に達した引戸本体を収納するための戸袋を備えている点で、第１の実施形態に係る引戸装置と大きく異なる。なお、以下に説明する各実施形態において、第１の実施形態と同じ部材、装置には同一符号を付し、その説明は省略する。
【００９０】
図７に示すように、本実施形態に係る引戸装置の引戸本体１０１で開閉される開口部は、第１実施形態と同様に、出入口２となっており、この引戸本体１０１も、壁３に形成された出入口２からこの壁３の厚さ方向にずれた位置に配置されている。
【００９１】
この図７に示されているように、本実施形態に係る引戸装置の外枠組みは、上枠部材１１０と、引戸本体１０１が全閉位置に達して出入口２を閉じたときにこの引戸本体１０１の先端が当接する戸先側の竪枠部材１１１と、この戸先側の竪枠部材１１１とは引戸本体１０１の閉じ移動方向反対側に配置されている戸尻側の竪枠部材１１２と、これらの竪枠部材１１１，１１２の間に配置されているとともに、出入口２を開けたときの引戸本体１０１が収納される戸袋１５０における出入口２の側の端部に配置された竪額縁部材１１３と、床４における戸袋１５０の下端に配置された幅木１１４と、を含んで構成されている。板材の折り曲げ品又は押出成形品となっているこれらの上枠部材１１０と戸先側の竪枠部材１１１と戸尻側の竪枠部材１１２と竪額縁部材１１３と幅木１１４は、引戸装置の外枠組みを形成する枠部材であり、また、開閉移動する引戸本体１０１に対して不動となった不動部材となっている。そして、本実施形態では、出入口２は、枠部材１１０〜１１４で形成された外枠組みの内側の一部の空間となっている。
【００９２】
なお、出入口２は、第１の実施形態と同様に、本実施形態に係る引戸装置の引戸本体１が設置される前から存在しており、この引戸本体１が配置される前のこの出入口２は、２点鎖線で示されている開き戸装置９０の開き戸本体９１により開閉されていたものである。
【００９３】
図７に示すように、上枠部材１１０は、戸先側の竪枠部材１１１から戸尻側の竪枠部材１１２まで延びる長さを有し、上記枠部材１１０〜１１４のうちの１つとなっている竪額縁部材１１３は、戸袋１５０における出入口２側の見切り部材となっている。
【００９４】
出入口２を開けたときの引戸本体１０１が収納される戸袋１５０は、図７のＳ８−Ｓ８線断面図である図８に示されているように、壁３と、引戸本体１０１の壁３と対向する面（内面部１０１Ｂ）とは反対側の面（外面部１０１Ａ）と対向して配置された外面形成部材１５１と、を含んで構成されている。この外面形成部材１５１は、図７のＳ９−Ｓ９線断面図である図９に示されているように、内側壁材１２１と、外側壁材１２２と、これらの壁材を補強するための補強部材１２０と、を含んで構成されている。ハット形状の断面が、上枠部材１１０と幅木１１４の長手方向（図７及び図８では左右方向）に連続している補強部材１２０は、竪枠部材１１１，１１２と竪額縁部材１１３の長手方向でもある上下方向に複数個配設されている。そして、これらの補強部材１２０の上下において、内側壁材１２１が接着テープ等による結合具で補強部材１２０に結合され、これらの内側壁材１２１の外側に外側壁材１２２が配置され、補強部材１２０にビスやステープル等の結合具で結合されているこの外側壁材１２２の表面に、クロス等の壁仕上げ材が取り付けられている。このため、これらの内側壁材１２１と外側壁材１２２と補強部材１２０と壁仕上げ材により、戸袋１５０を構成する外面形成部材１５１が形成されている。
【００９５】
また、図９に示されているように、複数個の内側壁材１２１のうち、２個の内側壁材１２１Ａの上下寸法Ｈは、市販されている汎用の壁材の上下寸法の正確な半分である。このため、これら２個の内側壁材１２１Ａの上下寸法の合計は、市販されている汎用の壁材の上下寸法と同じであり、したがって、２個の内側壁材１２１Ａを、市販されている汎用の壁材を切断して容易に得ることができるとともに、この市販されている汎用の壁材を、使用されない無駄な部分が生ずることを極力防止して有効に活用できる。
【００９６】
なお、図７で示されている上下複数個の前記補強部材１２０のうち、上下寸法が大きい補強部材１２０Ａが配置されている外面形成部材１５１の箇所には、左右方向への長さを有する手摺りを設けることができ、この手摺りは、補強部材１２０Ａに達するビス等の取付具でこの補強部材１２０Ａに取り付けることができる。
【００９７】
なお、本実施形態において、図７で示されている上枠部材１１０の上側の部分や、戸先側の竪枠部材１１１に対して出入口２とは反対側の部分、戸尻側の竪枠部材１１２に対して戸袋１５０とは反対側の部分にも壁を設けてもよい。この場合において、壁の表面は、戸袋１５０の外面形成部材１５１の表面に取り付けられた前記壁仕上げ材の表面と面一又は略面一状態となることが好ましい。
【００９８】
図８で示されているように、引戸本体１０１の外面部１０１Ａの側に配置されている竪額縁部材１１３は、壁３の厚さ方向に配置された内部材１５５と外部材１５６、及びこれらの部材よりも戸尻側に配置されている補助部材１５７との組み合わせ品である。外部材１５６を構成する戸尻側の竪枠部材１１２の側へ延びている後方延出部１５６Ａと、補助部材１５７を構成する戸尻側の竪枠部材１１２の側へ延びている後方延出部１５７Ａの間の隙間には、補強部材１２０における戸先側の竪枠部材１１１の側の端部が挿入され、この端部は、ビス等の結合具１５８で補助部材１５７の後方延出部１５７Ａに結合され、補強部材１２０における戸尻側の竪枠部材１１２の側の端部は、ビス等の結合具１１６で戸尻側の竪枠部材１１２の後方延出部１１２Ｃに結合されている。
【００９９】
また、第１の実施形態と同様に、壁３と、外面形成部材１５１との間には、引戸本体１０１の高さ方向である上下方向に延びる２個の枠部材１２３，１２６が、引戸本体１０１の開閉移動方向に離間して立設されている。これらの枠部材１２３，１２６のうち、出入口２の開き側の端部である側枠部材７及び壁３に取り付けられている枠部材１２３の上下寸法である高さ寸法は、図１０に示すように、床４から、枠組み体５の上枠部材８の突出部８Ａの先端面までの長さとなっている。図示されていないが、他の枠部材１２６の高さ寸法も、枠部材１２３の高さ寸法と同じ又は略同じとなっている。
【０１００】
図８に示すように、側枠部材７及び壁３に取り付けられている枠部材１２３は、第１の実施形態の枠部材２３と同様に、板材の折り曲げ品又は押出成形品となっている内部材１２４と外部材１２５の組合せ品となっている。内部材１２４は、壁３の厚さ方向に延びる延出部１２４Ａと、この延出部１２４Ａの一方の端部から引戸本体１０１の閉じ移動方向に延びる前方延出部１２４Ｂとからなっており、前方延出部１２４Ｂは壁３にビス等の結合具２９で結合されている。一方、外部材１２５は、底部１２５Ａと、この底部１２５Ａの両端部から壁３の厚さ方向内側へ延びる２個の延出部１２５Ｂ，１２５Ｃと、この延出部１２５Ｃの先端部から引戸本体１０１の閉じ移動方向に延びる前方延出部１２５Ｄとからなっており、この前方延出部１２５Ｄが前記側枠部材７にビス等の結合具２９で結合されている。また、延出部１２５Ｂは、内部材１２４の前記延出部１２４Ａにビス等の結合具３０で結合されている。
【０１０１】
また、上枠部材１１０の引戸本体１０１の戸尻側の端部と対応する位置に配置され、壁３に取り付けられている枠部材１２６も、第１の実施形態の枠部材２６と同様に、板材の折り曲げ品又は押出成形品となっている内部材１２７と外部材１２８の組合せ品となっている。内部材１２７は、壁３の厚さ方向に延びる延出部１２７Ａと、この延出部１２７Ａの一方の端部から引戸本体１０１の開き移動方向に延びる後方延出部１２７Ｂとからなっており、この後方延出部１２７Ｂは壁３にビス等の結合具２９で結合されている。一方、外部材１２８は、底部１２８Ａと、この底部１２８Ａの両端部から壁３の厚さ方向内側へ延びる延出部１２８Ｂ，１２８Ｃとからなっており、この延出部１２８Ｃが内部材１２７の延出部１２７Ａにビス等の結合具３０で結合されている。また、外部材１２８の底部１２８Ａは、戸尻側の竪枠部材１１２の後方延出部１１２Ｂにビス等の結合具１１５で結合されている。
【０１０２】
図８に示されているように、引戸本体１０１は、第１の実施形態の引戸本体１と同様に、出入口２から壁３の厚さ方向にずれた位置に配置されているため、引戸本体１０１と壁３との間には隙間１１９が生じているが、本実施形態でも、この隙間１１９を塞ぐための第１及び第２塞ぎ部材が配置されている。
【０１０３】
すなわち、出入口２における引戸本体１０１の開き側の端部に配置されている枠部材１２３が、引戸本体１０１と壁３との間に生じる隙間１１９を塞ぐための第１塞ぎ部材となっており、この枠部材１２３は、隙間１１９に挿入配置され、この配置位置は、出入口２における引戸本体１０１の開き側の端部からこの引戸本体１０１の開き移動方向へ離間した位置となっている。そして、本実施形態では、図８に示されているように、引戸本体１０１と、壁３と、枠部材１２３の出入口２側の面となっている外部材１２５の延出部１２５Cとで囲まれた空間部１３６が、引戸本体１０１の内面部１０１Ｂにおける閉じ側の端縁部に設けられている手掛け部である窪み部５１を収納可能かつこの窪み部５１を操作可能とする空間部となっている。
【０１０４】
また、本実施形態では、引戸本体１０１が全閉位置に達して出入口２を閉じたときにこの引戸本体１０１の先端が当接する戸先側の前記竪枠部材１１１が、出入口２における引戸本体１０１の閉じ側の端部に配置され、前記隙間１１９を塞ぐための第２塞ぎ部材を兼ねたものとなっている。
【０１０５】
図８に示すように、枠部材１２３の外部材１２５の底部１２５Ａと延出部１２５Ｃの角部１２５Ｅには、枠部材１２３と引戸本体１０１との間隔を小さくし、引戸本体１０１が開き移動中において、この引戸本体１０１を開き操作した人の指等が、これらの枠部材１２３と引戸本体１０１との隙間に挟まってしまうことを防止するための指詰め防止部材１５３が取り付けられている。ゴムや軟質合成樹脂等の弾性材料又は軟質材料で形成されているこの指詰め防止部材１５３は、枠部材１２３の外部材１２５の底部１２５Ａにビス等の取付具で取り付けられている。これと同様の理由から、竪額縁部材１１３の角部１１３Ａにも、竪額縁部材１１３と引戸本体１０１との間隔を小さくし、引戸本体１０１が開き移動中において、この引戸本体１０１を開き操作した人の指等が、これらの竪額縁部材１１３と引戸本体１０１との隙間に挟まってしまうことを防止するための指詰め防止部材１５２が取り付けられている。ゴムや軟質合成樹脂等の弾性材料又は軟質材料で形成されているこの指詰め防止部材１５２は、竪額縁部材１１３の内部材１５５の底部１５５Ａにビス等の取付具で取り付けられている。なお、図１０に示されているように、指詰め防止部材１５２は、竪額縁部材１１３の上下方向全長又は略全長にわたって設けられており、指詰め防止部材１５３も、枠部材１２３の外部材１２５の上下方向全長又は略全長にわたって設けられている。
【０１０６】
図８で示されているように、戸先側の竪枠部材１１１における出入口２とは反対側の側面部（図８では左側面部）、上枠部材１１０及び取付部材１６０における出入口２とは反対側の端部（図８では左端部）には、これらの部分を覆うためのカバー部材１８０が接着剤等で結合されている。一方、戸尻側の竪枠部材１１２における出入口２とは反対側の側面部（図８では右側面部）である内側延出部１１２Ｄ，１１２Ｅ、内側壁材１２１及び外側壁材１２２における出入口２とは反対側の側面部（図８では右側面部）、枠部材１２６の外部材１２８の延出部１２８Ｂ、上枠部材１１０、後述する点検カバー１３１及び取付部材１６０における出入口２とは反対側の端部（図８では右端部）には、これらの部分を覆うためのカバー部材１８１が接着剤等で結合されている。また、上下方向に延びる角柱状のこれらのカバー部材１８０，１８１は、壁３にも接着剤等で結合されている。なお、これらのカバー部材１８０，１８１の上下寸法である高さ寸法は、図７及び図９に示すように、床４から後述する上枠部材１１０の上面部１１０Ａまでの長さを有している。
【０１０７】
図１０で示されているように、上枠部材１１０は、水平に延びる上面部１１０Ａと、この上面部１１０Ａにおける上枠部材１１０の幅方向（図１０では左右方向）の一方の端部から垂下した垂下部１１０Ｂと、を有し、この上面部１１０Ａの下面には、外面形成部材１５１を構成する内側壁材１２１と外側壁材１２２の上端面が当接している。また、上面部１１０Ａにおける垂下部１１０Ｂとは反対側の幅方向の端部には、僅かに下方へ延びた下方延出部１１０Ｃが形成され、この下方延出部１１０Ｃの下端には、斜め上方であって、壁３の厚さ方向外側へ延出した傾斜延出部１１０Ｄが設けられている。これらの延出部１１０Ｃ，１１０Ｄは、図７で示されている出入口２と対応する部分だけに設けられている。
【０１０８】
なお、図１０に示されているように、外面形成部材１５１における後述する点検カバー１３１が取り付けられる高さ位置には、図７で示されている上下複数個の前記補強部材１２０のうち、最上部の補強部材１２０Ｂが配置されている。
【０１０９】
図１０で示されている上枠部材１１０の下方延出部１１０Ｃの下方への延出量は小さいため、この下方延出部１１０Ｃの下側は、上枠部材１１０の開口部１１０Ｅとなっており、垂下部１１０Ｂとは上枠部材１１０の前記幅方向とは反対側に形成されているこの開口部１１０Ｅから、上枠部材１１０の内部空間に収納配置されている扉体移動機構についての点検及び整備を含む各種の作業を行えるようになっている。
【０１１０】
図１０に示すように、通常時の開口部１１０Ｅは点検カバー１３１で塞がれており、この点検カバー１３１は、上端は斜め下向きに形成され、上枠部材１１０の傾斜延出部１１０Ｄに係止される係止部１３１Ａと、この係止部１３１Ａから鉛直又は略鉛直下向きに延びている正面部１３１Ｂと、この正面部１３１Ｂの下端から上枠部材１１０の内側へ水平又は略水平に屈曲している下面部１３１Ｃと、この下面部１３１Ｃの先端から立ち上がった立上部１３１Ｄとを有する。係止部１３１Ａと下面部１３１Ｃと立上部１３１Ｄにより、板材の折り曲げ品又は押出成形品となっている点検カバー１３１の全体の剛性が確保されている。
【０１１１】
なお、図示されていないが、立上部１３１Ｄは、図７の左右方向であって上枠部材１１０の長手方向でもある点検カバー１３１の長手方向の全長にわたって設けられておらず、点検カバー１３１には、この長手方向の両端部において、立上部１３１Ｄが存在していない立上部欠損部が設けられている。
【０１１２】
前述の開口部１１０Ｅを塞いでいるときの点検カバー１３１は、図１０で示されているとおり、係止部１３１Ａが上枠部材１１０の傾斜延出部１１０Ｄに係止され、これにより点検カバー１３１の重量が上枠部材１１０で支持されるようになっている。
【０１１３】
また、図７で示されているとおり、戸先側の竪枠部材１１１と竪額縁部材１１３に取り付けられているブラケットになっていて、点検カバー１３１の長手方向の両端部と対応する位置に設けられているブラケット１３２，１３３に、下面部１３１Ｃがねじ部材１３４，１３５で止められている。
【０１１４】
また、前述した扉体移動機構についての点検等の作業を行うために、点検カバー１３１を取り外して上枠部材１１０の上記開口部１１０Ｅを開けるときには、ねじ部材１３４，１３５を取り外し、これにより、点検カバー１３１は、上端の係止部１３１Ａを中心に上枠部材１１０の内外方向に揺動可能となるため、上枠部材１１０の外側方向へ揺動させることにより、係止部１３１Ａを上枠部材１１０の傾斜延出部１１０Ｄから抜き取ることができる。このようにして点検カバー１３１を取り外す際において、点検カバー１３１には、立上部１３１Ｄが存在していない前記立上部欠損部が、点検カバー１３１の長手方向の両端部に設けられているため、言い換えると、ねじ部材１３４，１３５が配置される位置と対応する下面部１３１Ｃの先端の箇所は、立上部１３１Ｄが存在しない立上部欠損部となっているため、この点検カバー１３１の取り外し作業を、ブラケット１３２，１３３の図示しないねじ止め部と立上部１３１Ｄとが干渉することなく行える。
【０１１５】
また、ねじ部材１３４，１３５は、点検カバー１３１の下面部１３１Ｃとブラケット１３２，１３３のねじ止め部とに下から上に挿入されるものであるため、点検カバー１３１の取り付け作業、取り外し作業のために作業者がねじ部材１３４，１３５について行う作業は、出入口２に立ったこの作業者が手を上に伸ばすことによって行え、この作業を容易に行える。
【０１１６】
さらに、たとえ、何かの原因でねじ部材１３４，１３５が脱落することがあっても、点検カバー１３１の上端の係止部１３１Ａは上枠部材１１０の傾斜延出部１１０Ｄに係止され、点検カバー１３１の下面部１３１Ｃの上側には、ねじ部材１３４，１３５の雄ねじ軸部を螺合させるブラケット１３２，１３３のねじ止め部が存在するため、点検カバー１３１が上下の振動等によって上枠部材１１０から外れてしまうことを有効に防止することができる。
【０１１７】
また、本実施形態では、図１０で示されているように、上枠部材１１０の傾斜延出部１１０Ｄには、点検カバー１３１の係止部１３１Ａがこの傾斜延出部１１０Ｄに直接接触することを防止するゴムや合成樹脂等による冠部材１４０が被せられ、これにより、上枠部材１１０と点検カバー１３１の材料である金属同士が直接接触して点検カバー１３１の取付作業時や取外作業時等において異音が発生することや、上枠部材１１０及び／又は点検カバー１３１に傷が生ずること等を防止している。
【０１１８】
また、図１０で示されているように、点検カバー１３１の正面部１３１Ｂの裏面（正面部１３１Ｂにおける上枠部材１１０の内側の面）に、例えば、ハット形状の断面が点検カバー１３１の長手方向に連続している補強部材１４１を接着剤や接着テープ等の結合具で結合し、これにより、正面部１３１Ｂの面強度を補強し、正面部１３１Ｂの上下寸法や左右寸法が大きくても、正面部１３１Ｂに撓み変形や開閉時の振動がより発生しないようにしてもよい。
【０１１９】
また、図１０に示されているように、上枠部材１１０を壁３に取り付けるための取付部材１６０は、第１の実施形態の取付部材４０と同様に、上枠部材１１０の長手方向（図７では左右方向）の長さ寸法と同じ長さ寸法を有する２個の枠部材１６１，１６２の組合せ品となっている。上枠部材１１０の垂下部１１０Ｂは、ビス等の結合具１４で枠部材１６１の垂下部１６１Ｂに取り付けられており、具体的な構造を後述するガイドレール１４５の基端部１４５Ａも、上枠部材１１０の垂下部１１０Ｂと共にビス等の結合具１４で枠部材１６１の垂下部１６１Ｂに取り付けられている。また、枠部材１６１の上面部１６１Ａは、ビス等の結合具４４で枠部材１６２の上面部１６２Ａに結合されており、枠部材１６１の垂下部１６１Ｂは、上枠部材１１０の垂下部１１０Ｂと共にビス等の結合具４４で枠部材１６２の立上部１６２Ｄに結合されている。一方、枠部材１６２の垂下部１６２Ｂは、スペーサ１６３を介してビス等の結合具４５で壁３に結合されている。以上のように、ガイドレール１４５の基端部１４５Ａが取り付けられた上枠部材１１０は、取付部材１６０とスペーサ１６３を介して壁３に取り付けられている。
【０１２０】
本実施形態では、上枠部材１１０の内部空間に収納配置されている引戸本体１０１を開閉移動させるための扉体移動機構の原理、構造は、前述した第１の実施形態の扉体移動機構とほぼ同様のものとなっている。
【０１２１】
図１０に示されているように、上枠部材１１０の内部には、この上枠部材１１０の略全長にわたる長さを有するガイドレール１４５が配置され、引戸本体１０１の直線の開閉移動を案内するガイド部材となっているこのガイドレール１４５は、上下に延びる基端部１４５Ａを有する略Ｌ字形状であり、前述したように、基端部１４５Ａが、上枠部材１１０の前記垂下部１１０Ｂと共にビス等の結合具１４で枠部材１６１の垂下部１６１Ｂに取り付けられている。このように、本実施形態では、ガイドレール１３が上枠部材１０と一体となっている第１の実施形態とは異なり、ガイドレール１４５は上枠部材１１０とは別体となっている。
【０１２２】
図１０に示されているように、引戸本体１０１には、この引戸本体１０１の上方において、ガイドレール１４５に転動自在に係合しているローラ４８がブラケット４７を介して取り付けられ、図示されていないが、このローラ４８は、前述した第１の実施形態と同様に、上枠部材１１０の長手方向である引戸本体１０１の開閉移動方向に２個設けられている。このため、本実施形態に係る引き戸装置も、引戸本体１０１が２個のローラ４８によってガイドレール１４５から吊り下げられた上吊り式の引戸装置となっている。
【０１２３】
また、第１の実施形態と同様に、本実施形態においても、上枠部材１１０の内部空間には、引戸本体１０１を自動的に閉じ移動させるための図示しない渦巻きばね式の閉鎖装置が配置され、この閉鎖装置は、上枠部材１１０における戸先側の竪枠部材１１１に近い端部の近傍において、上枠部材１１０の垂下部１１０Ｂやガイドレール１４５の基端部１４５Ａにビス等の結合具で結合されている。このため、本実施形態に係る引戸装置も、自動閉鎖式の引戸装置となっている。
【０１２４】
さらに、第１の実施形態と同様に、本実施形態においても、上枠部材１１０の内部空間には、全閉位置へ向かって閉じ移動しているときの引戸本体１０１に制動力を作用させるための図示しないシリンダ式の制動装置が、ピストンロッドを戸尻側の竪枠部材１１２の側に向けて配置されており、この制動装置は、ガイドレール１４５の基端部１４５Ａにブラケットで取り付けられている。また、図示されていないが、引戸本体１０１の上記２個のローラ４８のうち、戸尻側のローラ４８を回転自在に保持しているブラケット４７には、ピストンロッドの先端部と引戸本体１０１の開閉移動方向に対向する当接部材が取り付けられ、これらのピストンロッドの先端部と当接部材とのうち、一方には、他方と吸着力等で接離自在となったマグネット等による接離部材が設けられている。
【０１２５】
本実施形態に係る引戸装置も、引戸本体１０１の開き移動限位置である後退限位置を規定するストップ部材を備えているが、このストップ部材は、第１の実施形態のストップ部材７２（図６参照）のように、上枠部材の内部空間には配置されているものではない。本実施形態では、図７〜図９に示されているとおり、上枠部材１１０等と同様に不動部材となっている戸尻側の竪枠部材１１２の底部１１２Ａの下部に、引戸本体１０１の開閉移動方向において引戸本体１０１と対向しているストップ部材１７２が取り付けられている。ゴム等の弾性材料からなるこのストップ部材１７２は、開き移動した引戸本体１０１が戸袋１５０の内部に収納され、図８に示すように、引戸本体１０１の戸尻側の端部１０１Ｄがストップ部材１７２に当接したときに、引戸本体１０１は後退限位置に達する。
【０１２６】
本実施形態では、ストップ部材１７２は、図７〜図９に示されているように、戸尻側の竪枠部材１１２の長手方向である上下方向において、床４に近い下部の箇所に配置されている。すなわち、本実施形態では、ストップ部材１７２は、第１の実施形態のように、ガイドレールと同じ高さの箇所又はガイドレールよりも上側の上部の箇所に配置されていない。したがって、ストップ部材１７２が配置されている高さ位置は、ガイドレール１４５よりも低い位置であって、引戸本体１０１を開閉移動させるためにガイドレール１４５に係合する係合部材となっているローラ４８の上端と引戸本体１０１の下端との中央位置よりも低い位置となっている。
【０１２７】
このため、引戸本体１０１が、上枠部材１１０の内部において引戸本体１０１の上方に配置されているガイドレール１４５から吊り下げられた上吊り式引戸のものとなっていても、この引戸本体１０１が後退限位置まで高速で開き移動し、これによって引戸本体１０１が大きな力でストップ部材１７２に衝突しても、ガイドレール１４５に係合しているローラ４８を中心として、引戸本体１０１がこの引戸本体１０１の開閉移動方向に大きく振れ運動することをなくすことができ、このときの引戸本体１０１の姿勢の安定性を確保することができる。
【０１２８】
なお、戸袋１５０の外面形成部材１５１の下部に、戸袋１５０の内部を掃除するためや、戸袋１５０の内部に配置されている各種の部材、手段、装置等についてのメンテナンス作業を行うための蓋で開閉されるメンテナンス用開口部を設けてもよい。この場合には、メンテナンス用開口部の範囲内又はこの範囲に近い位置（例えば、メンテナンス用開口部から手が届く位置）にストップ部材１７２を配置することが好ましい。これによると、メンテナンス用開口部から戸袋１５０の内部に挿入した手等により、ストップ部材１７２についてのメンテナンス作業も容易に行えることになる。
【０１２９】
また、図７で示されているように、引戸本体１０１が開閉移動する移動経路における前記竪額縁部材１１３の配置位置と対応する位置、言い換えると、幅木１１４における戸先側の竪枠部材１１１の側の端部には、ガイドローラ１７５が配置されている。第１の実施形態と同様に、このガイドローラ１７５は、図１０で示されているとおり、下方に向かって開口している引戸本体１０１の下端部に挿入され、引戸本体１０１の前記ガイドレール１４５で案内される開閉移動は、引戸本体１０１の下端部がガイドローラ１７５で案内されながら行われる。
【０１３０】
次に、改修用引戸装置となっている本実施形態に係る引戸装置の取付方法について説明する。
【０１３１】
まず、第１の実施形態と同様に、改修用引戸装置の取付方法の第１工程として、図２において２点鎖線で示されている開き戸装置９０に開き戸本体９１を回動中心部材であるヒンジ９２をと共に取り外す作業を行う。なお、このとき、出入口２の外周を形成する枠組み体５は残す。
【０１３２】
次に、第２工程として以下の作業を行う。
【０１３３】
まず、第１塞ぎ部材である枠部材１２３を枠組み体５の側枠部材７及び壁３に結合する作業、取付部材１６０をスペーサ１６３を介して壁３に取り付ける作業や、枠部材１２６を壁３に結合する作業を行う。
【０１３４】
次に、上枠部材１１０をガイドレール１４５と共に取付部材１６０に取り付ける作業や、戸尻側の竪枠部材１１２を枠部材１２６に取り付ける作業を行う。
【０１３５】
この後、床４にガイドローラ１７５を取り付ける作業を行った後、引戸本体１０１を吊り上げ、この引戸本体１０１に取り付けられた２個のローラ４８（図１０参照）をガイドレール１４５に係合させる作業を行う。
【０１３６】
次に、外面形成部材１５１を構成する内側壁材１２１（補強部材１２０を含む）及び外側壁材１２２や、竪額縁部材１１３を配置する作業を行う。
【０１３７】
この後、戸先側の竪枠部材１１１を側枠部材６に取り付ける作業を行った後、左右のカバー部材１８０，１８１を取り付ける作業を行う。
【０１３８】
そして、最後に、点検カバー１３１を上枠部材１１０に取り付ける作業を行う。
【０１３９】
図１１及び図１２には、第３の実施形態に係る引戸装置が示されており、本実施形態は、前述の第２の実施形態に係る引戸装置が備えている戸袋の別実施形態となっている。図１１は、本実施形態に係る引戸装置の全体を示す正面図であり、図１２は、図１１のＳ１２−Ｓ１２線断面図である。なお、図１２は、図１１に示されている全開位置に達していた引戸本体が開き移動されて、この引戸本体が全開位置に達したときの状態の断面図である。
【０１４０】
図１１及び図１２に示されているように、壁１０３には、複数個（図示例では２個）の開口部である出入口２０２，３０２が形成されており、本実施形態では、それぞれの出入口２０２，３０２を開閉するための引戸本体１０１，３０１を備えた２個の引戸装置２００，３００が設置されている。前述した第１及び第２の実施形態と同様に、これらの引戸装置２００，３００の引戸本体１０１，３０１が配置される前は、２個の出入口２０２，３０２は、図示しない開き戸装置の開き戸により開閉されていたものである。
【０１４１】
左右２個の引戸装置２００，３００のうち、図１１及び図１２において右側に設置されている引戸装置３００は、左側に設置されている引戸装置２００と同一のものとなっているので、以下、引戸装置２００について説明する。
【０１４２】
図１１に示されているように、本実施形態に係る引戸装置２００は、第２の実施形態に係る引戸装置と同様に、全開位置に達した引戸本体１０１を収納するための戸袋２５０を備えているが、この戸袋２５０の構造が、第２の実施形態に係る引戸装置の戸袋１５０の構造と異なる。
【０１４３】
図１１及び図１２に示されているように、引戸装置２００の戸袋２５０は、第２の実施形態と同様に、壁１０３と、引戸本体１０１の壁１０３と対向する面（内面部１０１Ｂ）とは反対側の面（外面部１０１Ａ）と対向して配置された外面形成部材２５１と、を含んで構成されており、この外面形成部材２５１は、内側壁材２２１と、外側壁材２２２と、これらの壁材を補強するための補強部材２２０とを含んで構成されている。
【０１４４】
本実施形態では、図１２に示すように、この外面形成部材２５１の左右寸法（引戸本体１０１の開閉移動方向の幅寸法）であるＷ１は、出入口２０２と出入口３０２との間の壁１０３の左右寸法（枠組み体５の左右寸法である幅寸法は除く）であるＷ２と略同じとなっている。
【０１４５】
なお、本実施形態において、第２の実施形態と同様に、竪額縁部材１１３における出入口３０２側の側面（言い換えると、出入口２０２とは反対側の側面）から、戸尻側の竪枠部材１１２における出入口３０２側の側面（言い換えると、出入口２０２とは反対側の側面）までの間には、この間の距離Ｗ３の左右寸法（引戸本体１０１の開閉移動方向の幅寸法）を有する外面形成部材を配置し、戸尻側の竪枠部材１１２における前記側面から壁１０３の出入口３０２側の側面までの間には、この間の距離Ｗ４の左右寸法を有する壁部材を配置するようにしてもよい。すなわち、竪額縁部材１１３における出入口３０２側の側面から、壁１０３の出入口３０２側の側面までの間には、引戸本体１０１の開閉移動方向の幅寸法Ｗ３を有する外面形成部材と、引戸本体１０１の開閉移動方向の幅寸法Ｗ４を有する壁部材を配置するようにしてもよい。
【０１４６】
しかし、本実施形態では、外面形成部材２５１の引戸本体１０１の開閉移動方向の幅寸法は、竪額縁部材１１３における出入口３０２側の側面から、壁１０３の出入口３０２側の側面までの間の距離Ｗ１（前記Ｗ３とＷ４の合計値）となっている。すなわち、外面形成部材２５１は、引戸本体１０１の戸袋２５０の構成部材となっているとともに、竪額縁部材１１３における出入口３０２側の側面から、壁１０３の出入口３０２側の側面までの間に配置されるべき壁体を兼用するものとなっている。
【０１４７】
このため、本実施形態によると、引戸装置２００を設置する際において、戸袋２５０の外面形成部材２５１の他に、壁部材を別途用意する必要がなく、引戸装置２００の施工作業や設置作業等が容易となる。
【０１４８】
なお、図１２に示すように、外面形成部材２５１を構成する内側壁材２２１及び外側壁材２２２の出入口３０２側の側面は、引戸装置２００の右側に設置されている引戸装置３００の戸先側の竪枠部材３１１の出入口２０２側の側面に接着剤等で結合されている。
【０１４９】
また、第２の実施形態と同様に、本実施形態では、図１２に示されているように、壁１０３と、外面形成部材２５１との間には、引戸本体１０１の高さ方向である上下方向に延びる２個の枠部材１２３，１２６が、引戸本体１０１の開閉移動方向に離間して立設されているが、枠部材１２６は、壁１０３における出入口３０２側の端部近傍に取り付けられている。
【０１５０】
また、図１２に示されているように、枠部材１２３と枠部材１２６との間には、これらの枠部材１２３，１２６や戸尻側の竪枠部材１１２における壁１０３と対向する面等がビス等の結合具で取り付けられる取付部材２６１が配置されている。この取付部材２６１の引戸本体１０１の閉じ移動方向の端部は、枠部材１２３に接着剤や接着テープ等の結合具で結合されている。これと同様に、取付部材２６１の引戸本体１０１の開き移動方向の端部も、枠部材１２６に接着剤や接着テープ等の結合具で結合されている。
【０１５１】
また、戸尻側の竪枠部材１１２における壁１０３と対向する面とは反対側の面は、外面形成部材２５１の補強部材２２０や内側壁材２２１にビス等の結合具で結合されている。
【０１５２】
また、戸袋２５０の内部空間、すなわち、外面形成部材２５１と取付部材２６１との間に形成された空間における枠部材１２６が配置されている位置と同じ位置又は略同じ位置には、枠部材１９０が配置されており、この枠部材１９０は、引戸装置３００の戸先側の竪枠部材３１１に取り付けられたアンカー部材１９１に溶着又は接着により取り付けられているとともに、枠部材１２６や外面形成部材２５１の補強部材２２０にもビス等の結合具で結合されている。
【０１５３】
なお、図１１に示すように、本実施形態に係る引戸装置２００の外枠組みを構成する上枠部材２１０は、この引戸装置２００の戸先側の竪枠部材１１１から、隣接する引戸装置３００の戸先側の竪枠部材３１１における出入口２０２側の面まで延びる長さを有しており、また、幅木２１４は、床４における戸袋２５０の下端に配置されている。
【０１５４】
図１３には、第４の実施形態に係る引戸装置の水平断面図が示されており、本実施形態は、前述の第２の実施形態に係る引戸装置が備えている戸袋のさらなる別実施形態となっている。
【０１５５】
図１２と同様の図となっているこの図１３に示されているように、本実施形態に係る引戸装置４００は、２個の壁４１０（図１３では左右方向に延びる壁），４１１（図１３では上下方向に延びる壁）が互いに直角に交わるコーナー部４１２付近に設置されるものである。２個の壁４１０，４１１のうちの壁４１０におけるコーナー部４１２から離間した場所に出入口４０２が形成されており、この出入口４０２が引戸装置４００の引戸本体１０１により開閉されるようになっている。
【０１５６】
引戸装置４００の戸袋４５０は、第２及び第３の実施形態と同様に、壁４１０と、引戸本体１０１の壁４１０と対向する面（内面部１０１Ｂ）とは反対側の面（外面部１０１Ａ）と対向して配置された外面形成部材４５１と、を含んで構成されており、この外面形成部材４５１は、図示されない内側壁材と、外側壁材４２２と、これらの壁材を補強するための補強部材４２０とを含んで構成されている。
【０１５７】
図１３に示すように、この外面形成部材４５１の左右寸法、すなわち、引戸本体１０１の開閉移動方向の幅寸法であるＷ５は、壁４１０の出入口４０２側の側面から、この壁４１０が交差する壁４１１の表面４１１Ａまでの距離Ｗ６と略同じ寸法となっている。
【０１５８】
なお、本実施形態において、第２の実施形態と同様に、竪額縁部材１１３における壁４１１側の側面（言い換えると、出入口４０２とは反対側の側面）から、戸尻側の竪枠部材１１２における壁４１１側の側面（言い換えると、出入口４０２とは反対側の側面）までの間には、この間の距離Ｗ７の左右寸法（引戸本体１０１の開閉移動方向の幅寸法）を有する外面形成部材を配置し、戸尻側の竪枠部材１１２における前記側面から、壁４１０が交差する壁４１１の表面４１１Ａまでの間には、この間の距離Ｗ８の左右寸法を有する壁部材を配置するようにしてもよい。すなわち、竪額縁部材１１３における壁４１１側の側面から、壁４１１の表面４１１Ａまでの間には、引戸本体１０１の開閉移動方向の幅寸法Ｗ７を有する外面形成部材と、引戸本体１０１の開閉移動方向の幅寸法Ｗ８を有する壁部材を配置するようにしてもよい。
【０１５９】
しかし、本実施形態では、外面形成部材４５１の引戸本体１０１の開閉移動方向の幅寸法は、竪額縁部材１１３における壁４１１側の側面から、壁４１１の表面４１１Ａまでの間の距離Ｗ５（前記Ｗ７とＷ８の合計値）となっている。すなわち、外面形成部材４５１は、引戸本体１０１の戸袋４５０の構成部材となっているとともに、竪額縁部材１１３における壁４１１側の側面から、壁４１１の表面４１１Ａまでの間に配置されるべき壁体を兼用するものとなっている。
【０１６０】
このため、本実施形態によると、第３の実施形態と同様に、引戸装置４００を設置する際において、戸袋４５０の外面形成部材４５１の他に、壁部材を別途用意する必要がなく、引戸装置４００の施工作業や設置作業等が容易となる。
【０１６１】
なお、図１３に示すように、外面形成部材４５１を構成する図示されない内側壁材及び外側壁材４２２の壁４１１側の側面は、壁４１１の表面４１１Ａに接着剤等で結合されている。
【０１６２】
また、第２及び第３の実施形態と同様に、本実施形態では、図１３に示されているように、壁４１０と、外面形成部材４５１との間には、引戸本体１０１の高さ方向である上下方向に延びる２個の枠部材１２３，１２６が、引戸本体１０１の開閉移動方向に離間して立設されているが、枠部材１２６は、壁４１０における壁４１１側の端部に取り付けられている。
【０１６３】
また、図１３に示されているように、枠部材１２３と枠部材１２６との間には、これらの枠部材１２３，１２６や戸尻側の竪枠部材１１２における壁４１０と対向する面等がビス等の結合具で取り付けられる取付部材４６１が配置されている。この取付部材４６１の引戸本体１０１の閉じ移動方向の端部は、枠部材１２３に接着剤や接着テープ等の結合具で結合されている。これと同様に、取付部材４６１の引戸本体１０１の開き移動方向の端部は、枠部材１２６に接着剤や接着テープ等の結合具で結合されている。
【０１６４】
また、戸尻側の竪枠部材１１２における壁４１０と対向する面とは反対側の面は、外面形成部材４５１の補強部材４２０や図示されない内側壁材にビス等の結合具で結合されている。
【０１６５】
また、第３の実施形態と同様に、戸袋４５０の内部空間、すなわち、外面形成部材４５１と取付部材４６１との間に形成された空間における枠部材１２６が配置されている位置と同じ位置又は略同じ位置には、枠部材１９０が配置されている。この枠部材１９０は、壁４１１の表面４１１Ａに接着剤等により取り付けられているとともに、枠部材１２６や外面形成部材４５１の補強部材４２０や図示されない側壁部材にもビス等の結合具で結合されている。
【０１６６】
なお、図１３に示すように、本実施形態に係る引戸装置４００の外枠組みを構成する上枠部材は、この引戸装置４００の戸先側の竪枠部材１１１から、壁４１１の表面４１１Ａに接着剤等により取り付けられている枠部材１９０まで延びる長さを有しており、また、幅木は、床４における戸袋４５０の下端に配置されている。
【０１６７】
図１４は、第５の実施形態に係る引戸装置の水平断面図であり、第２の実施形態に係る引戸装置の水平断面図が示されている図８と同様の図である。
【０１６８】
この図１４に示されているように、出入口２の外周を形成する枠組み体５の構成部材である側枠部材７の引戸本体１０１側の角部７Ｃ（２点鎖線で示されている部分）と、この側枠部材７が取り付けられている壁３の部分における引戸本体１０１側の角部３Ａ（２点鎖線で示されている部分）は、出入口２における引戸本体１０１の開き側の端部の引戸本体１０１側の角部となっており、これらの角部７Ｃと角部３Ａは切り欠かれている。このため、出入口２における引戸本体１０１の開き側の端部の引戸本体１０１側の角部には、切欠部５１０が形成されている。
【０１６９】
図示されていないが、本実施形態では、この切欠部５１０は、側枠部材７の上下方向全長又は略全長にわたって形成されている。しかし、この切欠部５１０は、少なくとも引戸本体１０１の手掛け部である前記窪み部５１の上下方向全長又は略全長にわたって形成されていればよい。
【０１７０】
また、本実施形態では、側枠部材６の突出部６Ａ（２点鎖線で示されている部分）は取り除かれており、この側枠部材６の平坦部６Ｂにおける側枠部材７と対向する面には化粧材となっているカバー部材５０１が取り付けられている。一方、側枠部材７の突出部７Ａ（２点鎖線で示されている部分）も取り除かれており、この側枠部材７の平坦部７Ｂにおける側枠部材６と対向する面、及び前記切欠部５１０の表面にも、化粧材となっているカバー部材５０２が取り付けられている。
【０１７１】
本実施形態では、引戸本体１０１は、第２の実施形態における引戸本体１０１よりも壁３に近い位置に配置されるようになっている。言い換えると、本実施形態における引戸本体１０１から壁３までのこの壁３の厚さ方向の距離は、第２の実施形態における引戸本体１０１から壁３までのこの壁３の厚さ方向の距離よりも短くなっている。このため、壁３と、戸袋５５０を構成する外面形成部材５５１との間に立設される２個の枠部材５２３，５２６の形状、構造は第２の実施形態のものとは異なっている。
【０１７２】
図１４に示されているように、２個の枠部材５２３，５２６は、どちらも板材の折り曲げ品又は押出成形品となっているものであり、同じ形状、構造等を有している。枠部材５２３は、底部５２３Ａと、この底部５２３Ａの両端部から壁３の厚さ方向内側へ延びる２個の延出部５２３Ｂ，５２３Ｃと、この延出部５２３Ｃの先端部から引戸本体１０１の閉じ移動方向に延びる前方延出部５２３Ｄとからなっており、この前方延出部５２３Ｄが壁３にビス等の結合具５２９で結合されている。一方、枠部材５２６も、底部５２６Ａと、この底部５２６Ａの両端部から壁３の厚さ方向内側へ延びる２個の延出部５２６Ｂ，５２６Ｃと、この延出部５２６Ｃの先端部から引戸本体１０１の閉じ移動方向に延びる前方延出部５２６Ｄとからなっており、この前方延出部５２６Ｄが壁３にビス等の結合具５２９で結合されている。
【０１７３】
なお、本実施形態においても、引戸本体１０１と壁３との間に生じた隙間５１９を塞ぐための第１及び第２塞ぎ部材が配置されている。すなわち、出入口２における引戸本体１０１の開き側の端部に配置されている枠部材５２３が、引戸本体１０１と壁３との間に生じる隙間５１９を塞ぐための第１塞ぎ部材となっており、この枠部材５２３は、隙間５１９に挿入配置され、この配置位置は、出入口２における引戸本体１０１の開き側の端部からこの引戸本体１０１の開き移動方向へ離間した位置となっている。そして、本実施形態では、引戸本体１０１と、壁３と、枠部材５２３の出入口２側の面となっている枠部材５２３の延出部５２３Ｃとで囲まれた空間部５３５が、引戸本体１０１の内面部１０１Ｂにおける閉じ側の端縁部に設けられている手掛け部である窪み部５１を収納可能かつこの窪み部５１を操作可能とする空間となっている。さらに、本実施形態では、前記切欠部５１０が形成されたことにより形成された空間部５３６も窪み部５１を収納可能かつこの窪み部５１を操作可能とする空間となっている。
【０１７４】
また、本実施形態においても、引戸本体１０１が全閉位置に達して出入口２を閉じたときにこの引戸本体１０１の先端が当接する戸先側の前記竪枠部材５１１が、出入口２における引戸本体１０１の閉じ側の端部に配置され、前記隙間５１９を塞ぐための第２塞ぎ部材を兼ねたものとなっている。
【０１７５】
なお、第２の実施形態と同様に、枠部材５２３にも、枠部材５２３と引戸本体１０１との間隔をより小さくし、引戸本体１０１が開き移動中において、この引戸本体１０１を開き操作した人の指等が、これらの枠部材５２３と引戸本体１０１との隙間に挟まってしまうことを防止するための指詰め防止部材５５３が取り付けられている。ゴムや軟質合成樹脂等の弾性材料又は軟質材料で形成されているこの指詰め防止部材５５３は、枠部材５２３の底部５２３Ａにビス等の取付具で取り付けられている。なお、竪額縁部材１１３に取り付けられている指詰め防止部材１５２と同様に、指詰め防止部材５５３も、枠部材５２３の上下方向全長又は略全長にわたって設けられている。
【０１７６】
また、第２の実施形態と同様に、戸先側の竪枠部材５１１における出入口２とは反対側の側面部（図１４では左側面部）、図示されない上枠部材及び取付部材の左端部には、これらの部分を覆うためのカバー部材５８０が接着剤等で結合されている。一方、戸尻側の竪枠部材１１２における出入口２とは反対側の側面部（図１４では右側面部）、内側壁材１２１及び外側壁材１２２における出入口２とは反対側の側面部（図１４では右側面部）、枠部材５２６の延出部５２６Ｂ、上枠部材、点検カバー及び取付部材における出入口２とは反対側の端部（図１４では右端部）には、これらの部分を覆うためのカバー部材５８１が接着剤等で結合されている。また、上下方向に延びる角柱状のこれらのカバー部材５８０，５８１は、壁３にも接着剤等で結合されている。
【０１７７】
以上説明した本実施形態では、壁３と枠部材５２３の延出部５２３Ｃと引戸本体１０１で囲まれた空間部５３５は小さなものとなっている。しかし、本実施形態では、出入口２における引戸本体１０１の開き側の端部の引戸本体１０１側の角部に切欠部５１０が形成されることにより、空間部５３６が別に形成されている。このため、引戸本体１０１が全開位置に達した際の引戸本体１０１の窪み部５１に容易に手を掛けることができるようになっている。
【０１７８】
なお、図３に示すように、第１の実施形態では、引戸本体１と、壁３と、枠部材２３の出入口２側の面となっている外部材２５の延出部２５Ｃとで囲まれた空間部３５は、引戸本体１の壁３と対向する内面部１Ｂにおける閉じ側の端縁部に設けられた手掛け部である窪み部５１を収納かつこの窪み部５１を手掛け操作するのに充分なスペースを有している。また、図８、図１２及び図１３に示すように、第２〜第４の実施形態でも、引戸本体１０１と、壁３と、枠部材１２３の出入口２側の面となっている外部材１２５の延出部１２５Ｃとで囲まれた空間部１３６は、引戸本体１０１の壁３と対向する内面部１０１Ｂにおける閉じ側の端縁部に設けられた手掛け部である窪み部５１を収納かつこの窪み部５１を操作するのに充分なスペースを有している。
【０１７９】
このため、第１の実施形態では、引戸本体１の壁３と対向する内面部１Ｂにおける閉じ側の端縁部に設ける手掛け部は、引戸本体１の壁３と対向する内面部１Ｂとは反対側の外面部１Ａにおける閉じ側の端縁部に設けられた手掛け部である把持部５０でもよい。これと同様に、第２〜４の実施形態でも、引戸本体１０１の壁３と対向する内面部１０１Ｂにおける閉じ側の端縁部に設ける手掛け部も、引戸本体１０１の壁３と対向する内面部１０１Ｂとは反対側の外面部１０１Ａにおける閉じ側の端縁部に設けられた手掛け部である把持部５０でもよい。
【０１８０】
また、以上の第１〜第４の実施形態では、第５の実施形態と同様に、出入口２の外周を形成する枠組み体５の突出部６Ａ，７Ａ、８Ａは取り除いてもよい。そして、これらの突出部６Ａ，７Ａ，８Ａを取り除いた後に残る平坦部６Ｂ，７Ｂ，８Ｂの表面には、第５の実施形態と同様に、化粧材となっているカバー部材を取り付けるようにしてもよい。
【０１８１】
以上の第１〜第５の実施形態では、引戸本体の個数は１個であったが、複数個でもよい。引戸本体の個数が複数個である場合には、これらの引戸本体は、片引き式のものでもよく、引分け式のもの（例えば、左右１組の引戸本体により開口部が開閉されるものや、左右２組の第１及び第２引戸本体により開口部が開閉されるもの等）でもよい。
【０１８２】
また、以上の第１〜第５の実施形態に係る引戸装置は上吊り式引戸装置であったが、引戸本体が、この引戸本体に上下に配置されたガイド部材により案内されて開閉移動する一般的な引戸装置等でもよい。
【産業上の利用可能性】
【０１８３】
本発明は、壁に形成された開口部からこの壁の厚さ方向にずれた位置に配置され、前記開口部を開閉するための引戸本体と、この引戸本体の開閉移動を案内するためのガイド部材と、を含んで構成され、前記引戸本体の前記壁と対向する面における閉じ側の端縁部には、手を掛けるための手掛け部が設けられている引戸装置に利用することができる。
【図面の簡単な説明】
【０１８４】
【図１】本発明の第１の実施形態に係る引戸装置の全体を示す正面図である。
【図２】図１のＳ２−Ｓ２線断面図である。
【図３】図２において、引戸本体が全開位置に達した状態を示す図である。
【図４】図１のＳ４−Ｓ４線断面図である。
【図５】手掛け部である窪み部が形成されている引戸本体の内面部（裏面部）における閉じ側の端縁部の部分拡大図である。
【図６】図１の上枠部材の内部空間に収納配置されている扉体移動機構を図１の点検カバーを取り外して示した正面図である。
【図７】本発明の第２の実施形態に係る引戸装置の全体を示す正面図である。
【図８】図７のＳ８−Ｓ８線断面図である。
【図９】図７のＳ９−Ｓ９線断面図である。
【図１０】図７のＳ１０−Ｓ１０線断面図である。
【図１１】本発明の第３の実施形態に係る引戸装置の全体を示す正面図である。
【図１２】図１１のＳ１１−Ｓ１１線断面図である。
【図１３】本発明の第４の実施形態に係る引戸装置の水平断面図であり、図１２と同様の図である
【図１４】本発明の第５の実施形態に係る引戸装置の水平断面図であり、図８と同様の図である
【図１５】従来の引戸装置が設置される前から存在し、開き戸装置の開き戸により開閉されている開口部である出入口の水平断面図である。
【図１６】従来の引戸装置の縦断面図である。
【図１７】従来の引戸装置の水平断面図であり、引戸本体が全閉位置に達した状態を示す図である。
【図１８】図１７において、引戸本体が全開位置に達した状態を示す図である。
【符号の説明】
【０１８５】
１，１０１  引戸本体
１Ｃ  引戸本体の戸先側の先端
２，２０２，３０２，４０２  開口部である出入口
３，１０３，４１０  開口部が形成される壁
１３，１４５  ガイド部材であるガイドレール
２０  第２塞ぎ部材である枠部材
２３，１２３，５２３  第１塞ぎ部材である枠部材
３５，１３６，５３５  空間部
５１  手掛け部である窪み部
１１１，５１１  第２塞ぎ部材である戸先側の竪枠部材
１５０，２５０，４５０，５５０  戸袋
１５１，２５１，４５１，５５１  外面形成部材
５１０  切欠部
Ｗ１，Ｗ５  外面形成部材の引戸本体の開閉移動方向の幅寸法
Ｗ２，Ｗ６  壁の引戸本体の開閉移動方向の幅寸法
【図１】
2008190290.tif 000003
【図２】
2008190290.tif 000004
【図３】
2008190290.tif 000005
【図４】
2008190290.tif 000006
【図５】
2008190290.tif 000007
【図６】
2008190290.tif 000008
【図７】
2008190290.tif 000009
【図８】
2008190290.tif 000010
【図９】
2008190290.tif 000011
【図１０】
2008190290.tif 000012
【図１１】
2008190290.tif 000013
【図１２】
2008190290.tif 000014
【図１３】
2008190290.tif 000015
【図１４】
2008190290.tif 000016
【図１５】
2008190290.tif 000017
【図１６】
2008190290.tif 000018
【図１７】
2008190290.tif 000019
【図１８】
2008190290.tif 000020